(57)【要約】【課題】既存の移動体通信網と固定通信網の機能を連携させて個々のユーザに適したコンテンツを提示できるようにし、これによりコンテンツ効果をさらに高める。【解決手段】コンテンツ配信事業者サーバＡＰ１，ＡＰ２からコンテンツ提示対象となる特定の移動端末ＭＳｉを指定するか、又はコンテンツの配信場所やプロファイルを含む配信条件を指定し、配信制御サーバＤＳＶが移動系ＩＭＳ網ＮＷ１から上記指定された移動端末ＭＳｉ又は配信条件に適合する移動端末の位置情報とプロファイル情報を取得する。そして、この取得した位置情報に近い位置に配置されている固定端末ＦＳｊを固定系ＩＭＳ網ＮＷ２により選択してこの固定端末ＦＳｊとコンテンツ配信事業者サーバＡＰ１，ＡＰ２との間にセッションを確立し、移動端末ＭＳｉのプロファイル情報に対応するコンテンツを固定端末ＦＳｊへ配信し表示させるようにしたものである。【選択図】図１
2011193428.tif 000002
【特許請求の範囲】
【請求項１】
複数の移動端末が収容される、ＩＭＳ（IP Multimedia Subsystem）を用いた移動系通信網と、複数の地域に分散配置されかつコンテンツ提示機能を有する複数の固定端末が収容される、ＩＭＳを用いた固定系通信網と、これら移動系及び固定系の各通信網にそれぞれ接続される配信制御サーバとを具備し、
前記移動系通信網は、
前記複数の移動端末の位置情報及びそのユーザのプロファイル情報をそれぞれ記憶媒体により管理する手段と、
コンテンツ提示対象となる移動端末の位置情報及びプロファイル情報を前記記憶媒体から選択的に読み出し送信する選択送信手段と
を備え、
前記配信制御サーバは、
前記コンテンツ提示対象となる移動端末の位置情報及びプロファイル情報を前記移動系通信網から取得する移動端末情報取得手段と、
前記取得されたコンテンツ提示対象となる移動端末の位置情報を含むコンテンツ配信要求を前記固定系通信網へ送信する手段と
を備え、
前記固定系通信網は、
前記複数の固定端末の位置情報を記憶媒体により管理する手段と、
前記コンテンツ配信要求を受信した場合に、当該コンテンツ配信要求に含まれるコンテンツ提示対象となる移動端末の位置情報と、前記記憶媒体により管理されている固定端末の位置情報とに基づいて、コンテンツ提示対象となる移動端末の存在位置を含む地域に配置されている固定端末を選択する固定端末選択手段と、
前記選択された固定端末と前記要求元の配信制御サーバとの間にセッションを確立する手段と
を備え、
前記配信制御サーバは、
前記取得されたコンテンツ提示対象となる移動端末のプロファイル情報に基づいて当該プロファイル情報に対応するコンテンツを選択するコンテンツ選択手段と、
前記選択されたコンテンツを、前記固定系通信網により確立されたセッションを介して、前記選択された固定端末へ配信する手段と
を備えることを特徴とするコンテンツ配信システム。
【請求項２】
前記配信制御サーバに対し、コンテンツを記憶し配信する機能を有するコンテンツ配信事業者サーバが接続される場合に、
前記配信制御サーバの移動端末情報取得手段は、前記コンテンツ配信事業者サーバからコンテンツ配信対象となる移動端末を指定する情報を受信すると、この受信された指定情報を含む移動端末検索要求を移動系通信網へ送信してその応答情報を受信し、
前記移動系通信網の選択送信手段は、前記配信制御サーバから送信された移動端末検索要求を受信すると、この受信された移動端末検索要求に含まれる指定情報に該当する移動端末の位置情報及びプロファイル情報を記憶媒体から読み出し、この読み出された位置情報及びプロファイル情報を応答情報として配信制御サーバへ返送することを特徴とする請求項１記載のコンテンツ配信システム。
【請求項３】
前記配信制御サーバに対し、コンテンツを記憶し配信する機能を有するコンテンツ配信事業者サーバが接続される場合に、
前記配信制御サーバの移動端末情報取得手段は、少なくともコンテンツ配信対象地域の指定情報を含む配信条件を前記コンテンツ配信事業者サーバから受信すると、この受信された配信条件の登録要求を前記移動系通信網へ送信して、当該配信条件に適合する移動端末の位置情報及びプロファイル情報を受信し、
前記移動系通信網の選択送信手段は、前記配信制御サーバから送信された配信条件の登録要求を受信するとこの受信された登録要求に含まれる配信条件を記憶し、この記憶された配信条件に含まれるコンテンツ配信対象地域に存在する移動端末を前記記憶媒体から検出してその位置情報及びプロファイル情報を前記配信制御サーバに返送することを特徴とする請求項１記載のコンテンツ配信システム。
【請求項４】
前記固定系通信網は、前記複数の固定端末が取り扱うコンテンツのデータ形式を表すプロファイル情報を記憶媒体により管理する手段を、さらに備え、
前記配信制御サーバは、
前記コンテンツの配信先となる固定端末のプロファイル情報を前記固定系通信網から取得する手段と、
前記取得された固定端末のプロファイル情報に基づいて、前記コンテンツ選択手段により選択されたコンテンツのデータ形式を前記固定端末で取り扱うことが可能な形式に変換する手段と
を、さらに備えることを特徴とする請求項１乃至３のいずれかに記載のコンテンツ配信システム。
【請求項５】
前記配信制御サーバは、
前記コンテンツ提示対象となる移動端末のプロファイル情報に対応するコンテンツが前記固定端末において提示されている状態で、前記コンテンツ提示対象となる移動端末から送信される、コンテンツの選択し直しを要求する操作情報を受信する手段と、
前記受信された操作情報に応じて、前記提示中のコンテンツに関連するコンテンツを選択し直し、この選択し直されたコンテンツを固定系通信網により前記配信制御サーバと固定端末との間に確立されているセッションを介して固定端末へ配信する手段と
を、さらに備えることを特徴とする請求項１乃至４のいずれかに記載のコンテンツ配信システム。
【請求項６】
複数の移動端末が収容される、ＩＭＳ（IP Multimedia Subsystem）を用いた移動系通信網と、複数の地域に分散配置されかつコンテンツ提示機能を有する複数の固定端末が収容される、ＩＭＳを用いた固定系通信網と、これら移動系及び固定系の各通信網にそれぞれ接続される配信制御サーバとを具備するシステムで使用されるコンテンツ配信方法であって、
前記移動系通信網が、前記複数の移動端末の位置情報及びそのユーザのプロファイル情報をそれぞれ記憶媒体により管理する過程と、
前記移動系通信網が、コンテンツ提示対象となる移動端末の位置情報及びプロファイル情報を前記記憶媒体から選択的に読み出し送信する選択送信過程と、
前記配信制御サーバが、コンテンツ提示対象となる移動端末の位置情報及びプロファイル情報を前記移動系通信網から取得する移動端末情報取得過程と、
前記配信制御サーバが、前記移動系通信網から取得したコンテンツ提示対象となる移動端末の位置情報を含むコンテンツ配信要求を前記固定系通信網へ送信する配信要求送信過程と、
前記固定系通信網が、前記複数の固定端末の位置情報を記憶媒体により管理する過程と、
前記固定系通信網が、前記配信制御サーバから受信したコンテンツ配信要求に含まれるコンテンツ提示対象となる移動端末の位置情報と、前記記憶媒体により管理されている固定端末の位置情報とに基づいて、コンテンツ提示対象となる移動端末の存在位置を含む地域に配置されている固定端末を選択する過程と、
前記固定系通信網が、前記選択された固定端末と前記要求元の配信制御サーバとの間にセッションを確立する過程と、
前記配信制御サーバが、前記選択されたコンテンツを前記固定系通信網により確立されたセッションを介して、前記選択された固定端末へ配信する手段と
を具備することを特徴とするコンテンツ配信方法。
【請求項７】
前記システムが、コンテンツを記憶し配信する機能を有するコンテンツ配信事業者サーバをさらに具備する場合に、
前記移動端末情報取得過程は、前記コンテンツ配信事業者サーバからコンテンツ配信対象となる移動端末を指定する情報を受信し、この受信された指定情報を含む移動端末検索要求を移動系通信網へ送信し、
前記選択送信過程は、前記配信制御サーバから送信された移動端末検索要求を受信し、この受信された移動端末検索要求に含まれる指定情報に該当する移動端末の位置情報及びプロファイル情報を記憶媒体から読み出し、この読み出された位置情報及びプロファイル情報を応答情報として配信制御サーバへ返送することを特徴とする請求項６記載のコンテンツ配信方法。
【請求項８】
前記システムが、コンテンツを記憶し配信する機能を有するコンテンツ配信事業者サーバをさらに具備する場合に、
前記第１の取得過程は、少なくともコンテンツ配信対象地域の指定情報を含む配信条件を前記コンテンツ配信事業者サーバから受信し、この受信された配信条件の登録要求を前記移動系通信網へ送信して、当該配信条件に適合する移動端末の位置情報及びプロファイル情報を受信し、
前記移動系通信網の選択送信手段は、前記配信制御サーバから送信された配信条件の登録要求を受信するとこの受信された登録要求に含まれる配信条件を記憶し、この記憶された配信条件に含まれるコンテンツ配信対象地域に存在する移動端末を前記記憶媒体から検出してその位置情報及びプロファイル情報を前記配信制御サーバに返送することを特徴とする請求項６記載のコンテンツ配信方法。
【請求項９】
前記固定系通信網が、前記複数の固定端末が取り扱うコンテンツのデータ形式を表すプロファイル情報を記憶媒体により管理する過程と、
前記配信制御サーバが、前記コンテンツの配信先となる固定端末のプロファイル情報を前記固定系通信網から取得する過程と、
前記配信制御サーバが、前記取得された固定端末のプロファイル情報に基づいて、前記コンテンツ選択手段により選択されたコンテンツのデータ形式を前記固定端末で取り扱うことが可能な形式に変換する過程と
を、さらに具備することを特徴とする請求項６乃至８のいずれかに記載のコンテンツ配信方法。
【請求項１０】
前記配信制御サーバが、前記コンテンツ提示対象となる移動端末のプロファイル情報に対応するコンテンツが前記固定端末において提示されている状態で、前記コンテンツ提示対象となる移動端末から送信される操作情報を受信する過程と、
前記配信制御サーバが、前記受信された操作情報に応じて、前記提示中のコンテンツに関連するコンテンツを選択し直し、この選択し直されたコンテンツを前記確立中のセッションを介して前記固定端末へ配信する過程と
を、さらに備えることを特徴とする請求項６乃至９のいずれかに記載のコンテンツ配信方法。
【請求項１１】
前記配信制御サーバは、
前記コンテンツが前記固定端末において提示されている状態で、前記移動端末から送信される、コンテンツの配信先の切替を要求する操作情報を受信する手段と、
前記受信された操作情報がコンテンツの配信先を前記固定端末から前記移動端末に切り替えることを要求する情報である場合に、当該操作情報に含まれる前記移動端末の識別情報をもとに、前記固定端末との間に確立されている該当するセッションを解放させる処理を前記固定系通信網に行わせる共に、前記移動端末との間に新たなセッションを確立させる処理を前記移動系通信網に行わせる手段と、
前記操作情報に含まれる、前記提示中のコンテンツの識別情報と当該コンテンツの前記切替操作時における提示状況を表す情報とをもとに、前記固定端末に提示されていたコンテンツと同一のコンテンツを選択し、この選択されたコンテンツを前記切替操作時における提示位置から、前記新たに確立されたセッションを介して前記移動端末へ配信する手段と
を、さらに備えることを特徴とする請求項１乃至４のいずれかに記載のコンテンツ配信システム。
【請求項１２】
前記配信制御サーバは、
前記コンテンツが移動端末において提示されている状態で、当該移動端末から送信される、コンテンツの配信先の切替を要求する操作情報を受信する手段と、
前記受信された操作情報がコンテンツの配信先を前記移動端末から前記固定端末に切り替えることを要求する情報である場合に、当該操作情報に含まれる前記移動端末の識別情報をもとに当該移動端末の位置情報を前記移動系通信網より取得し、この取得された移動端末の位置情報と、前記記憶媒体により管理されている固定端末の位置情報とに基づいて、切替先となる固定端末を選択する手段と、
前記選択された固定端末と前記要求元の配信制御サーバとの間に新たなセッションを確立させる処理を、前記固定系通信網に行わせる手段と、
前記操作情報に含まれる、前記提示中のコンテンツの識別情報と当該コンテンツの前記切替操作時における提示状況を表す情報とをもとに、前記移動端末に提示されていたコンテンツと同一のコンテンツを選択し、この選択されたコンテンツを前記切替操作時における提示位置から、前記新たに確立されたセッションを介して前記固定端末へ配信する手段と
を、さらに備えることを特徴とする請求項１１記載のコンテンツ配信システム。
【請求項１３】
前記配信制御サーバは、
前記コンテンツが前記固定端末において提示されている状態で、前記移動端末から送信されるコンテンツの再生制御を要求する操作情報を受信する手段と、
前記受信された操作情報に応じて、当該操作情報に含まれる前記移動端末の識別情報をもとに、前記固定端末との間に確立されている該当するセッションを検索し、この検索されたセッションの更新処理を前記固定系通信網に行わせる手段と、
前記操作情報に含まれる前記提示中のコンテンツの再生制御情報に基づいて、前記固定端末における前記コンテンツの再生状態を制御する手段と
を、さらに備えることを特徴とする請求項１乃至４のいずれかに記載のコンテンツ配信システム。
【請求項１４】
前記コンテンツの再生状態を制御する手段は、コンテンツの早送り、一時停止、巻き戻し及び再生箇所の変更の少なくとも一つを制御するものであることを特徴とする請求項１３記載のコンテンツ配信システム。
【請求項１５】
前記移動端末は、
位置計測のための信号の発信源の異なる複数の位置計測手段と、
前記複数の位置計測手段により選択的に計測された位置情報と、前記複数の位置計測手段により計測された複数の位置情報を合成した位置情報のうちのいずれか一方を、前記移動系通信網へ送信して位置情報サーバに記憶させる手段と
を備えることを特徴とする請求項１乃至５又は１１乃至１４のいずれか１つに記載のコンテンツ配信システム。
【請求項１６】
前記移動端末は、
操作入力の形態の異なる複数の操作入力手段と、
前記複数の操作入力手段により入力された情報に応じて当該入力情報に対応する要求を含む操作情報を生成し、この生成した操作情報を前記配信制御サーバへ送信する手段と
を備えることを特徴とする請求項１乃至５又は１１乃至１４のいずれか１つに記載のコンテンツ配信システム。
【請求項１７】
前記配信制御サーバが、前記コンテンツが前記固定端末において提示されている状態で前記移動端末から送信される、コンテンツの配信先の切替を要求する操作情報を受信する過程と、
前記固定系通信網が、前記受信された操作情報がコンテンツの配信先を前記固定端末から前記移動端末に切り替えることを要求する情報である場合に、当該操作情報に含まれる前記移動端末の識別情報をもとに、前記固定端末との間に確立されている該当するセッションを解放する過程と、
前記移動系通信網が、前記操作情報に含まれる前記移動端末の識別情報をもとに、前記移動端末との間に新たなセッションを確立する過程と、
前記配信制御サーバが、前記操作情報に含まれる、前記提示中のコンテンツの識別情報と当該コンテンツの前記切替操作時における提示状況を表す情報とをもとに、前記固定端末に提示されていたコンテンツと同一のコンテンツを選択し、この選択されたコンテンツを前記切替操作時における提示位置から、前記新たに確立されたセッションを介して前記移動端末へ配信する過程と
を、さらに備えることを特徴とする請求項６乃至１０のいずれかに記載のコンテンツ配信方法。
【請求項１８】
前記配信制御サーバが、前記コンテンツが移動端末において提示されている状態で当該移動端末から送信される、コンテンツの配信先の切替を要求する操作情報を受信する過程と、
前記配信制御サーバが、前記受信された操作情報がコンテンツの配信先を前記移動端末から前記固定端末に切り替えることを要求する情報である場合に、当該操作情報に含まれる前記移動端末の識別情報をもとに当該移動端末の位置情報を前記移動系通信網より取得し、この取得された移動端末の位置情報と、前記記憶媒体により管理されている固定端末の位置情報とに基づいて、切替先となる固定端末を選択する過程と、
前記固定系通信網が、前記選択された固定端末と前記要求元の配信制御サーバとの間に新たなセッションを確立する過程と、
前記配信制御サーバが、前記操作情報に含まれる、前記提示中のコンテンツの識別情報と当該コンテンツの前記切替操作時における提示状況を表す情報とをもとに、前記移動端末に提示されていたコンテンツと同一のコンテンツを選択し、この選択されたコンテンツを前記切替操作時における提示位置から、前記新たに確立されたセッションを介して前記固定端末へ配信する過程と
を、さらに備えることを特徴とする請求項１７記載のコンテンツ配信方法。
【請求項１９】
前記配信制御サーバが、前記コンテンツが前記固定端末において提示されている状態で、前記移動端末から送信されるコンテンツの再生制御を要求する操作情報を受信する過程と、
前記配信制御サーバが、前記受信された操作情報に含まれる前記移動端末の識別情報をもとに、前記固定端末との間に確立されている該当するセッションを検索する過程と、
前記固定系通信網が、前記配信制御サーバの要求に従い、前記検索されたセッションの更新処理を行う過程と、
前記配信制御サーバが、前記受信された操作情報に含まれる前記提示中のコンテンツの再生制御情報に基づいて、前記固定端末における前記コンテンツの再生状態を制御する過程と
を、さらに備えることを特徴とする請求項６乃至１０のいずれかに記載のコンテンツ配信方法。
【請求項２０】
前記コンテンツの再生状態を制御する過程は、コンテンツの早送り、一時停止、巻き戻し及び再生箇所の変更の少なくとも一つを制御するものであることを特徴とする請求項１９記載のコンテンツ配信方法。
【請求項２１】
複数の移動端末が収容され、かつこれらの移動端末の位置情報及びそのユーザのプロファイル情報をそれぞれ記憶する手段を有するＩＭＳ（IP Multimedia Subsystem）を用いた移動系通信網と、
複数の地域に分散配置された複数の固定端末が収容され、かつこれらの固定端末の配置位置情報及びプロファイル情報を記憶する手段を有するＩＭＳを用いた固定系通信網と、
コンテンツを記憶し配信する機能を有する複数のコンテンツ配信事業者サーバと、
前記移動系及び固定系の各通信網と前記複数のコンテンツ配信事業者サーバとの間に配置され、前記複数のコンテンツ配信事業者サーバとの間でＡＰＩ（Application Programming Interface）機能を用いて通信を行うことが可能な配信制御サーバと
を具備し、
前記配信制御サーバは、
前記移動系通信網から前記移動端末の位置情報及びユーザプロファイル情報を受信する手段と、
前記受信された移動端末の位置情報と、前記固定系通信網に記憶されている固定端末の配置位置情報とに基づいて、コンテンツ提示対象となる移動端末の存在位置を含む地域に配置されている固定端末を選択し、この選択された固定端末と前記移動端末とを関連付ける情報を記憶する手段と、
前記移動端末のユーザプロファイル情報に対応するコンテンツを選択する手段と、
前記選択されたコンテンツを記憶するコンテンツサーバに対しアクセスするためのアクセス先情報を、前記移動端末と関連付けられた固定端末に向け送信する手段と、
前記送信先の固定端末から送信されるアクセス要求を前記コンテンツ配信事業者サーバへ転送し、当該コンテンツ配信事業者サーバにコンテンツの配信処理を行わせる手段と
を備えることを特徴とするコンテンツ配信システム。
【請求項２２】
コンテンツを記憶する複数のコンテンツサーバをさらに具備する場合に、
前記複数のコンテンツ配信事業者サーバの各々は、前記複数のコンテンツサーバのすべてとの間で通信を行うためのＡＰＩ機能を備えることを特徴とする請求項２１記載のコンテンツ配信システム。
【請求項２３】
前記配信制御サーバは、コンテンツフィルタをさらに備え、
前記コンテンツフィルタは、
前記移動端末のユーザプロファイル情報と当該移動端末に関連付けられた固定端末のプロファイル情報とに基づいて、前記複数のコンテンツサーバから前記固定端末へのコンテンツの配信の可否を表す配信ポリシ情報を設定する手段と、
前記アクセス先情報の送信に応答して固定端末からアクセス要求が送られた場合に、前記配信ポリシ情報に基づいて前記コンテンツ配信サーバへの前記アクセス要求の転送を制限する手段と
を備えることを特徴とする請求項２１又は２２記載のコンテンツ配信システム。
【請求項２４】
前記配信制御サーバは、
前記移動端末の位置情報の更新を監視し、この更新後の位置情報が当該移動端末と関連付けられた固定端末が配置された地域外へ出たか否かを判定する手段と、
前記更新後の位置情報が、前記固定端末が配置された地域外へ出たと判定された場合に、当該移動端末と固定端末とを関連付ける情報及び前記配信ポリシ情報を無効にする手段と
を、さらに備えることを特徴とする請求項２１乃至２３のいずれかに記載のコンテンツ配信システム。
【請求項２５】
複数の移動端末が収容され、かつこれらの移動端末の位置情報及びそのユーザのプロファイル情報をそれぞれ記憶する手段を有するＩＭＳ（IP Multimedia Subsystem）を用いた移動系通信網と、複数の地域に分散配置された複数の固定端末が収容され、かつこれらの固定端末の配置位置情報及びプロファイル情報を記憶する手段を有するＩＭＳを用いた固定系通信網と、コンテンツを記憶し配信する機能を有する複数のコンテンツ配信事業者サーバと、前記移動系及び固定系の各通信網と前記複数のコンテンツ配信事業者サーバとの間に配置され、前記複数のコンテンツ配信事業者サーバとの間でＡＰＩ（Application Programming Interface）機能を用いて選択的に通信を行うことが可能な配信制御サーバとを具備するシステムで使用されるコンテンツ配信方法であって、
前記配信制御サーバが、前記移動系通信網から前記移動端末の位置情報及びユーザプロファイル情報を受信する過程と、
前記配信制御サーバが、前記受信された移動端末の位置情報と、前記固定系通信網に記憶されている固定端末の配置位置情報とに基づいて、コンテンツ提示対象となる移動端末の存在位置を含む地域に配置されている固定端末を選択し、この選択された固定端末と前記移動端末とを関連付ける情報を記憶する過程と、
前記配信制御サーバが、前記移動端末のユーザプロファイル情報に対応するコンテンツを選択する過程と、
前記配信制御サーバが、前記選択されたコンテンツを記憶するコンテンツサーバに対しアクセスするためのアクセス先情報を、前記移動端末と関連付けられた固定端末に向け送信する過程と、
前記配信制御サーバが、前記送信先の固定端末から送信されるアクセス要求を前記コンテンツ配信事業者サーバへ転送し、当該コンテンツ配信事業者サーバにコンテンツの配信処理を行わせる過程と
を備えることを特徴とするコンテンツ配信方法。
【請求項２６】
前記配信制御サーバが、前記移動端末のユーザプロファイル情報と当該移動端末に関連付けられた固定端末のプロファイル情報とに基づいて、前記複数のコンテンツサーバから前記固定端末へのコンテンツの配信の可否を表す配信ポリシ情報を設定する過程と、
前記配信制御サーバが、前記アクセス先情報の送信に応答して固定端末からアクセス要求が送られた場合に、前記配信ポリシ情報に基づいて前記コンテンツ配信サーバへの前記アクセス要求の転送を制限する過程と
を、さらに備えることを特徴とする請求項２５記載のコンテンツ配信方法。
【請求項２７】
前記配信制御サーバが、前記移動端末の位置情報の更新を監視し、この更新後の位置情報が当該移動端末と関連付けられた固定端末が配置された地域外へ出たか否かを判定する過程と、
前記配信制御サーバが、前記更新後の位置情報が前記固定端末が配置された地域外へ出たと判定された場合に、当該移動端末と固定端末とを関連付ける情報及び前記配信ポリシ情報を無効にする過程と
を、さらに備えることを特徴とする請求項２５又は２６のいずれかに記載のコンテンツ配信方法。
【発明の詳細な説明】
【技術分野】
【０００１】
この発明は、例えば広告や宣伝のためのコンテンツを、ＩＭＳ（IP Multimedia Subsystem）を用いた通信網を利用して、コンテンツ提示媒体を有する固定端末に配信し提示させるコンテンツ配信システム及びコンテンツ配信方法に関する。
【背景技術】
【０００２】
移動体通信分野における、アプリケーションの実装標準を定めるOpen Mobile Alliance（ＯＭＡ）では、Dynamic Content Delivery (DCD)と呼ばれるコンテンツの動的配信の実現アーキテクチャ、配信方式を規定している。DCD標準では、端末に対して待ち受け画面等を自動的に配信するための仕様が規定されている。DCD仕様では、通信事業者が自社の網内にコンテンツ配信制御をつかさどるDCDサーバを配置し、あらかじめDCDクライアントがインストールされた端末に対して、Pull型、Push型の配信機能を規定している。また、DCDクライアントは、DCDサーバに対してコンテンツ配信チャンネルなどコンテンツ配信に関するプロファイル情報の登録を行うことができ、これを受けてDCDサーバはIMS網内のプロファイルサーバ、位置情報サーバとの連携を行うことが規定されている。DCDアーキテクチャにおいて、配信されるコンテンツはあらかじめDCDサーバに登録されていることが前提となっており、サービスプロバイダは事前にDCDサーバにコンテンツを登録するものとなっている。
【０００３】
また、DCDにおけるコンテンツの配信方式には、SIP Push、SMS、HTTP、WAP Push等の方式が想定されている。DCDでは、配信方式としてこれらのいずれかを利用することとして規定しているのみであり、配信方式の決定ロジックに関する規定はない。したがって、DCDサービスを提供する事業者が、いずれかのプロココルをサポートしたDCDサーバ、DCDクライアントを用意することを想定している（例えば、非特許文献１を参照。）。
【０００４】
一方、ITU-T等で議論している次世代ネットワーク（ＮＧＮ：Next Generation Network）は、サービスがＩＰ（Internet Protocol）ネットワークを経て提供されるネットワークアーキテクチャを想定している。ＮＧＮでは第三世代の移動通信ネットワークの標準化団体である3GPPで策定されたＩＰマルチメディアサブシステム（ＩＭＳ：IP Multimedia Subsystem）の採用を決めており、このＩＭＳを用いたネットワークサービスが提供されている。ＩＭＳはＳＩＰ（Session Initiation Protocol）を用いることで、サービスの実行制御、端末間のセッション制御、登録処理及び課金処理等を行うサブシステムである（例えば、非特許文献２を参照。）。
【０００５】
ＩＭＳでは、ＳＩＰアプリケーション・サーバ（ＳＩＰ ＡＳ：SIP Application Server）を利用して様々なアプリケーションを実行する。ＳＩＰアプリケーション・サーバを利用することで、ＩＭＳは単なる二者間でのマルチメディアセッションの確立だけでなく、拡張したサービスを実現することができる。例えば、ＮＧＮではＡＮＩ（Application Network Interface）という、アプリケーションとの間のインタフェースが規定されている。このＡＮＩは、アプリケーションとＮＧＮ機能との間で情報交換等を実現するための通信路を提供するインタフェースである。一方で、ＮＧＮではＳＩＰアプリケーション・サーバを用いることで、ＡＰＩという形でアプリケーションを他のネットワークにも公開できる。
【０００６】
また、ＩＭＳにおける端末の位置情報の管理に関する仕様として、ＯＭＡではＳＩＰをベースに位置情報の伝達を行うイネーブラであるLOCSIPの規定も行われている。LOCSIPでは、SIP SUBSCRIBE、NOTIFYメソッドを利用したXMLベースでの位置情報通知技術であり、位置情報の通知を受けるのは端末だけではなく、NW内のSIP対応エンティティも想定している（例えば、非特許文献３を参照。）。
【０００７】
さらに、ＯＭＡではユーザプロファイルを管理する機能の仕様としてＸＤＭ(XML Document Management)イネーブラ仕様を定義している。ＸＤＭイネーブラは、ネットワークに蓄積されたユーザ特有のサービスに関連した情報へのアクセス、更新などを行う機能を提供し、それらはXMLドキュメントで定義され、管理されている（例えば、非特許文献４を参照。）。
【０００８】
ところで、近年デジタルサイネージに代表されるような、街頭に設置された固定ディスプレイにデジタルコンテンツを表示することで広告・宣伝を行うサービスが提供されている。これらの広告サービスは、時間帯、場所等に応じて当該ディスプレイの前の通行者をあらかじめ予測し、固定されたコンテンツを繰り返し表示するものである。
【先行技術文献】
【非特許文献】
【０００９】
【非特許文献１】OMA; Dynamic Content Delivery v1.0.  Open Mobile Alliance, Dec. 2009. インターネット＜URL:http://www.openmobilealliance.org/ Technical/ elease_program/dcd_v1-0.aspx＞
【非特許文献２】3GPP IP Multimedia (IM) Subsystem; IP Multimedia Subsystem (IMS); Stage 2 (Release 8), 3rd Generation Partnership Project (3GPP), Mar. 2009.
【非特許文献３】OMA; Location in SIP/IP Core V1.0. Open Mobile Alliance, Dec. 2008. インターネット＜URL:http://www.openmobilealliance.org/Technical/ release_program/locsip_v1_0.aspx＞
【非特許文献４】OMA; XML Document Management V2.0. Open Mobile Alliance, Sep. 2008. インターネット＜URL:http://www.openmobilealliance.org/ Technical/release_program/xdm_v2_0.aspx＞
【発明の概要】
【発明が解決しようとする課題】
【００１０】
ところが、この種の従来の広告サービスでは、あらかじめ観測された統計に基づいてコンテンツの配信が行われるため、実際にそのディスプレイ前を通過する個々のユーザに適したコンテンツを表示することができず、必ずしも通行者に対して最大限の広告効果を発揮できていない。
【００１１】
また、FMCに代表されるように固定通信網と移動体通信網の機能を連携させることによって、ユーザに対してより付加価値の高いサービスを提供することも検討されている。移動体通信網と固定通信網は一般に独立に構築されているため、端末のプロファイル情報は各通信網が個別に管理している。従来の技術は、基本的に単一の通信網内において端末のプロファイル情報及び位置情報を活用することを想定しているため、他の通信網で収集したプロファイル情報及び位置情報を利用することはできない。例えば、DCDイネーブラは、プロファイル情報及び位置情報との連携を想定しているが、他の通信網のプロファイル情報を扱うインタフェースは規定されていない。このため、固定通信網と移動体通信網の機能を連携させて、固定通信網が移動端末のプロファイル情報に適合した広告サービスを実現しようとしても、移動体通信網が管理している移動体端末のプロファイル情報を固定通信網が利用することができなかった。
【００１２】
この発明は上記事情に着目してなされたもので、その目的とするところは、既存の移動体通信網と固定通信網の機能を連携させて個々のユーザに適したコンテンツを提示できるようにし、これによりさらに高い広告効果を発揮するようにしたコンテンツ配信システム及びコンテンツ配信方法を提供することにある。
【課題を解決するための手段】
【００１３】
上記目的を達成するためにこの発明の一つの観点は、複数の移動端末が収容される、ＩＭＳ（IP Multimedia Subsystem）を用いた移動系通信網と、複数の地域に分散配置されかつコンテンツ提示機能を有する複数の固定端末が収容される、ＩＭＳを用いた固定系通信網と、これら移動系及び固定系の各通信網にそれぞれ接続される配信制御サーバとを具備する。  
そして、移動系通信網に、上記複数の移動端末の位置情報及びそのユーザのプロファイル情報をそれぞれ記憶媒体により管理する手段と、コンテンツ提示対象となる移動端末の位置情報及びプロファイル情報を上記記憶媒体から選択的に読み出し送信する選択送信手段とを設ける。配信制御サーバには、上記コンテンツ提示対象となる移動端末の位置情報及びプロファイル情報を上記移動系通信網から取得する移動端末情報取得手段と、上記取得されたコンテンツ提示対象となる移動端末の位置情報を含むコンテンツ配信要求を上記固定系通信網へ送信する手段とを設ける。また固定系通信網には、上記複数の固定端末の位置情報を記憶媒体により管理する手段と、上記コンテンツ配信要求を受信した場合に当該コンテンツ配信要求に含まれるコンテンツ提示対象となる移動端末の位置情報と上記記憶媒体により管理されている固定端末の位置情報とに基づいて、コンテンツ提示対象となる移動端末の存在位置を含む地域に配置されている固定端末を選択するコンテンツ選択手段と、上記選択された固定端末と上記要求元の配信制御サーバとの間にセッションを確立する手段とを設ける。さらに上記配信制御サーバに、上記取得されたコンテンツ提示対象となる移動端末のプロファイル情報に基づいて当該プロファイルに対応するコンテンツを選択するコンテンツ選択手段と、上記選択されたコンテンツを、上記固定系通信網により確立されたセッションを介して、上記選択された固定端末へ配信する手段とを設けるように構成したものである。
【００１４】
したがって、移動系通信網と固定系通信網との間に配信制御サーバが介在することで、移動系通信網が管理する移動端末の位置情報を利用して固定系通信網がコンテンツ配信対象の固定端末を特定し、この固定端末に対し上記移動端末のプロファイル情報に対応するコンテンツを配信して提示させることが可能となる。このため、移動端末ユーザが存在する場所において当該ユーザにとって興味のある情報を提示することが可能となり、高い広告効果が期待できる。しかも、移動系通信網及び固定系通信網がそれぞれ備える端末の位置情報及びプロファイル情報の管理機能を利用することでこの発明を実現するようにしているので、すべての機能を配信制御サーバに新たに設ける場合に比べ簡単かつ安価に実現できる利点がある。
【００１５】
また、この発明の一つ観点は以下のような態様を備えることを特徴とする。  
第１の態様は、配信制御サーバに対し、コンテンツを記憶し配信する機能を有するコンテンツ配信事業者サーバが接続される場合に、上記コンテンツ配信事業者サーバから送信されるコンテンツ配信対象となる移動端末を指定する情報を上記配信制御サーバが受信して、この指定情報を含む移動端末検索要求を移動系通信網へ送信する。これに対し移動系通信網は、上記配信制御サーバから送信された移動端末検索要求に含まれる指定情報に該当する移動端末の位置情報及びプロファイル情報を記憶媒体から読み出し、この読み出された位置情報及びプロファイル情報を配信制御サーバへ返送するものである。
【００１６】
このようにすると、コンテンツ配信事業者サーバが移動端末ユーザを指定すると、この移動端末ユーザの位置情報及びプロファイル情報が移動系通信網により検索されて配信制御サーバに通知される。そして、この通知された位置情報を利用して固定系通信網により固定端末が選択され、かつ配信制御サーバにより上記通知されたプロファイル情報を利用してコンテンツが選択されて配信される。このため、特定の移動端末ユーザをターゲットとして、当該移動端末ユーザが存在する場所に当該移動端末ユーザが興味を持つコンテンツを提示することが可能となる。
【００１７】
第２の態様は、配信制御サーバに対し、コンテンツを記憶し配信する機能を有するコンテンツ配信事業者サーバが接続される場合に、上記コンテンツ配信事業者サーバから送信される少なくともコンテンツ配信対象地域の指定情報を含む配信条件を上記配信制御サーバが受信して、この配信条件の登録要求を移動系通信網へ送信する。これに対し移動系通信網は、上記配信制御サーバから送信された配信条件の登録要求を受信するとこの受信された登録要求に含まれる配信条件を記憶し、この記憶された配信条件に含まれるコンテンツ配信対象地域に存在する移動端末の位置情報及びプロファイル情報を記憶媒体から検出して配信制御サーバに返送するものである。
【００１８】
このようにすると、コンテンツ配信事業者サーバが配信条件として地域を指定すると、この地域に存在する移動端末が移動系通信網により検索されて、その位置情報とプロファイル情報が配信制御サーバに通知される。そして、この通知された位置情報を利用して固定系通信網により固定端末が選択され、かつ配信制御サーバにより上記通知されたプロファイル情報を利用してコンテンツが選択されて配信される。このため、特定の地域をターゲットとして、この地域に存在する移動端末ユーザに対し当該ユーザが興味を持つコンテンツを配信し提示することが可能となる。
【００１９】
第３の態様は、固定系通信網が、複数の固定端末が取り扱うコンテンツのデータ形式を表すプロファイル情報を記憶媒体により管理している場合に、配信制御サーバが上記コンテンツの配信先となる固定端末のプロファイル情報を上記固定系通信網から取得し、この取得された固定端末のプロファイル情報に基づいてコンテンツのデータ形式を配信先の固定端末で取り扱うことが可能な形式に変換するものである。
【００２０】
このようにすると、固定端末が備えるコンテンツの復号方式や表示スペック等に応じて、コンテンツのデータ形式が配信制御サーバにおいて変換される。このため、固定端末が取り扱うデータ形式が固定端末ごとに異なる場合でも、固定端末のデータ形式に応じてコンテンツを適切な形式で表示させることが可能となる。
【００２１】
第４の態様は、コンテンツ提示対象となる移動端末のプロファイル情報に対応するコンテンツが固定端末において提示されている状態で、上記コンテンツ提示対象となる移動端末から送信される操作情報を配信制御サーバにより受信し、この受信された操作情報に応じて、配信制御サーバが上記提示中のコンテンツに関連するコンテンツを選択し直し、この選択し直されたコンテンツを固定系通信網により上記配信制御サーバと固定端末との間に確立されているセッションを介して固定端末へ配信するものである。
【００２２】
このようにすると、固定端末に提示されたコンテンツを見た移動端末ユーザが、自身の移動端末を操作すると、その操作内容に応じて上記提示中のコンテンツの内容を変更することが可能となる。例えば、提示中のコンテンツの続編又は続き頁や詳細な内容を提示させたり、提示中のコンテンツと関連する別のコンテンツを提示させることが可能となる。
【００２３】
第５の態様は、コンテンツが固定端末において提示されている状態で、移動端末から送信される、コンテンツの配信先の切り替えを要求する操作情報を配信制御サーバが受信する。配信制御サーバは、この受信された操作情報がコンテンツの配信先を上記固定端末から上記移動端末に切り替えることを要求する情報だった場合に、配信制御サーバが、当該操作情報に含まれる上記移動端末の識別情報をもとに、上記固定端末との間に確立されている該当するセッションを解放させる処理を固定系通信網に行わせる共に、上記移動端末との間に新たなセッションを確立させる処理を移動系通信網に行わせる。そして、上記操作情報に含まれる、上記提示中のコンテンツの識別情報と当該コンテンツの上記切り替え操作時における提示状況を表す情報とをもとに、上記固定端末に提示されていたコンテンツと同一のコンテンツを選択し、この選択されたコンテンツを上記切り替え操作時における提示位置から、上記新たに確立されたセッションを介して上記移動端末へ配信するものである。
【００２４】
このようにすると、コンテンツが固定端末に配信表示されている状態で、ユーザがコンテンツの配信先を移動端末に切り替えるべく移動端末において配信先の切り替え操作を行うと、上記配信中のコンテンツの配信先が固定端末から移動端末へ切り替わる。このため、例えばユーザが固定端末の設置場所から離れる場合でも、同一のコンテンツを引き続き自身の移動端末で閲覧することが可能となる。
【００２５】
第６の態様は、コンテンツが移動端末において提示されている状態で当該移動端末から送信される、コンテンツの配信先の切り替えを要求する操作情報を配信制御サーバが受信する。配信制御サーバは、上記受信された操作情報がコンテンツの配信先を上記移動端末から上記固定端末に切り替えることを要求する情報だった場合に、当該操作情報に含まれる上記移動端末の識別情報をもとに当該移動端末の位置情報を移動系通信網より取得し、この取得された移動端末の位置情報と、記憶媒体により管理されている固定端末の位置情報とに基づいて、切り替え先となる固定端末を選択し、この選択された固定端末と上記要求元の配信制御サーバとの間に新たなセッションを確立する。そして配信制御サーバは、上記操作情報に含まれる、上記提示中のコンテンツの識別情報と当該コンテンツの上記切り替え操作時における提示状況を表す情報とをもとに、上記移動端末に提示されていたコンテンツと同一のコンテンツを選択し、この選択されたコンテンツを上記切り替え操作時における提示位置から、上記新たに確立されたセッションを介して固定端末へ配信するものである。
【００２６】
このようにすると、コンテンツが移動端末に配信表示されている状態で、ユーザがコンテンツの配信先を固定端末に切り替えるべく移動端末において配信先切り替え操作を行うと、上記配信中のコンテンツの配信先が移動端末から固定端末へ切り替わる。このため、例えばユーザが自身の移動端末においてコンテンツを閲覧しながら固定端末の設置場所に近づき、固定端末での閲覧を希望する場合には、同一のコンテンツを引き続き固定端末で閲覧することが可能となる。
【００２７】
第７の態様は、コンテンツが固定端末において提示されている状態で、移動端末から送信されるコンテンツの再生制御を要求する操作情報を配信制御サーバが受信したとき、この受信された操作情報に応じて、当該操作情報に含まれる前記移動端末の識別情報をもとに上記固定端末との間に確立されている該当するセッションを検索し、固定系通信網にセッションの更新を行わせる。そして、上記操作情報に含まれる上記提示中のコンテンツの再生制御情報に基づいて、上記固定端末における上記コンテンツの再生状態を制御するものである。  
上記コンテンツの再生状態の制御の種類には、例えばコンテンツの早送り、一時停止、巻き戻し或いは再生箇所の変更がある。
【００２８】
このようにすると、コンテンツが固定端末に配信表示されている状態で、ユーザがコンテンツの再生状態を制御する操作を行うと、上記固定端末へ配信中のコンテンツの再生状態が制御される。したがって、ユーザは自身の移動端末を操作することで、固定端末において提示中のコンテンツの早送り、一時停止、巻き戻し或いは再生箇所の変更を遠隔的に行うことができる。
【００２９】
第８の態様は、移動端末に、位置計測のための信号の発信源の異なる複数の位置計測手段を設け、この複数の位置計測手段により選択的に計測された位置情報と、複数の位置計測手段により計測された複数の位置情報を合成した位置情報のうちのいずれか一方を、移動系通信網へ送信して位置情報サーバに記憶させるようにしたものである。  
このようにすると、位置計測手段として、移動系通信網の基地局だけでなく、無線ＬＡＮのアクセスポイント、ＧＰＳ衛星、フェムトセル基地局、非接触ＩＣカード等の複数の発信源から送信される位置計測信号をもとに、それぞれ位置情報を取得することができる。このため、固定端末の近傍にいる場合に、その位置情報を高精度に取得することが可能となる。
【００３０】
第９の態様は、移動端末に、入力形態の異なる複数の操作入力手段を設け、これらの操作入力手段により入力された情報に応じてこの入力情報に対応する要求を含む操作情報を生成し、この生成した操作情報を配信制御サーバへ送信するようにしたものである。  
このようにすると、例えば加速度センサ、ジャイロセンサなどの各種センサとの連携により、ユーザが操作を直感的に行えるようになり、ユーザコンテキストの収集が可能となる。
【００３１】
第１０の態様は、複数の移動端末が収容されかつこれらの移動端末の位置情報及びそのユーザのプロファイル情報をそれぞれ記憶する手段を有するＩＭＳ（IP Multimedia Subsystem）を用いた移動系通信網と、複数の地域に分散配置された複数の固定端末が収容されかつこれらの固定端末の配置位置情報を記憶する手段を有するＩＭＳを用いた固定系通信網と、コンテンツを記憶し配信する機能を有する複数のコンテンツ配信事業者サーバと、前記移動系及び固定系の各通信網と上記複数のコンテンツ配信事業者サーバとの間に配置され、上記複数のコンテンツ配信事業者サーバの各々との間でＡＰＩ（Application Programming Interface）機能を用いて選択的に通信を行うことが可能な配信制御サーバとを具備するシステムにあって、上記配信制御サーバが、移動系通信網から移動端末の位置情報及びユーザプロファイル情報を受信し、この受信された移動端末の位置情報と、固定系通信網に記憶されている固定端末の配置位置情報とに基づいて、コンテンツ提示対象となる移動端末の存在位置を含む地域に配置されている固定端末を選択し、この選択された固定端末と移動端末とを関連付ける情報を記憶する。そして、移動端末のユーザプロファイル情報に対応するコンテンツを選択し、この選択されたコンテンツを記憶するコンテンツサーバに対しアクセスするためのアクセス先情報を上記移動端末と関連付けられた固定端末に向け通知すると共に、この通知先の固定端末から送信されるアクセス要求を前記コンテンツ配信事業者サーバへ転送することにより、当該コンテンツ配信事業者サーバにコンテンツの配信処理を行わせるようにしたものである。
【００３２】
したがって、配信制御サーバ上にＡＰＩ機能が配備されたことにより、配信制御サーバは複数のコンテンツ配信事業者サーバとの間でそれぞれ通信を行うことが可能となり、これにより各コンテンツ配信事業者は固定系通信網の複数の固定端末のうち任意の固定端末に対しコンテンツを配信することが可能となる。すなわち、各コンテンツ配信事業者はそれぞれ専用の固定端末を設置・運用する必要がなくなり、固定系通信網に接続される多数の公衆固定端末を共用することが可能となる。
【００３３】
また、移動端末とその近傍に配置されている固定端末が通信網を超えて関連付けられる。このため、移動端末と固定端末との間で連携してコンテンツの様々な表示処理を行うことが可能となる。例えば、移動端末とその近傍の固定端末に同一の或いは関連するコンテンツをそれぞれ表示させたり、移動端末におけるユーザの操作に応じて固定端末に表示するコンテンツを変化させることが可能となる。しかも、ユーザプロファイル情報に基づくコンテンツの選択処理は配信制御サーバ上で行われるので、ユーザプロファイル情報がコンテンツ配信事業者に知られてしまう心配が無く、これによりユーザの個人情報の秘匿性を高く保持することができる。
【００３４】
なお、コンテンツ配信事業者サーバとは独立して、コンテンツホルダが運用するコンテンツサーバが設けられている場合には、上記各コンテンツ配信事業者サーバ上にもＡＰＩ機能を配備するとよい。このようにすると、各コンテンツ配信事業者サーバは複数のコンテンツサーバのいずれからでもコンテンツを取り出して配信することが可能となる。すなわち、各コンテンツサーバ（コンテンツホルダ）と各コンテンツ配信事業者サーバ（配信事業者）とを分離することが可能となる。
【００３５】
第１１の態様は、配信制御サーバにコンテンツフィルタを備え、このコンテンツフィルタにより、移動端末のユーザプロファイル情報と当該移動端末に関連付けられた固定端末のプロファイル情報とに基づいて、コンテンツサーバから固定端末へのコンテンツの配信の可否を表す配信ポリシ情報を設定する。そして、アクセス先情報を通知した固定端末からアクセス要求が送られた場合に、上記配信ポリシ情報に基づいてコンテンツ配信サーバへの上記アクセス要求の転送を制限するようにしたものである。
【００３６】
このようにすると、移動端末のユーザプロファイル情報と配信先の固定端末のプロファイル情報との関係に応じて、特定の固定端末には表示してはならないコンテンツが配信されないようにすることができる。これにより、例えばユーザの個人情報又はそれに関連する情報を含むコンテンツが、電光掲示板等のような不特定多数の人に情報を表示する公衆固定端末に表示されないようにすることができる。しかも、制限処理がアクセス要求に対し行われるので、配信されるコンテンツに対し制限処理を行う場合に比べ、不適切コンテンツの配信をより的確に制限することができる。
【００３７】
第１２の態様は、配信制御サーバにより、移動端末の位置情報の変化を監視してこの移動端末の位置情報が、当該移動端末と関連付けられた固定端末が配置された地域外へ出たか否かを判定する。そして、移動端末の位置情報が、前記固定端末が配置された地域外へ出たと判定された場合に、当該移動端末と固定端末とを関連付ける情報及び前記配信ポリシ情報を消去するようにしたものである。  
このようにすると、移動端末のユーザが固定端末の配置位置から遠ざかると、当該移動端末と固定端末とを関連付ける情報及び配信ポリシ情報が自動的に消去される。このため、固定端末の前から立ち去る際に、移動端末ユーザが当該固定端末に表示されたコンテンツの表示を終了させる操作を行う必要がない。
【発明の効果】
【００３８】
すなわちこの発明によれば、既存の移動体通信網と固定通信網の機能を連携させて個々のユーザに適したコンテンツを提示できるようになり、これにより情報提示効果をさらに高めることが可能なコンテンツ配信システム及びコンテンツ配信方法を提供することができる。
【図面の簡単な説明】
【００３９】
【図１】この発明の第１の実施形態に係わるコンテンツ配信システムの全体構成図。
【図２】図１に示したシステムの広告配信事業者サーバ及び配信制御サーバの機能構成を示すブロック図。
【図３】図１に示したシステムの移動系ＩＭＳ内が備えるＳＩＰアプリケーション・サーバ及び位置情報サーバの機能構成を示すブロック図。
【図４】図１に示したシステムの固定系ＩＭＳ内が備えるＳＩＰアプリケーション・サーバ及び位置情報サーバの機能構成を示すブロック図。
【図５】図１に示したシステムによる移動端末の位置情報及びプロファイル情報取得手順の第１の実施例を示すシーケンス図。
【図６】図１に示したシステムによるコンテンツのPush配信手順を示すシーケンス図。
【図７】図１に示したシステムによる移動端末の位置情報及びプロファイル情報取得手順の第２の実施例を示すシーケンス図。
【図８】図７に示した取得手順において用いられる配信条件登録画面の一例を示す図。
【図９】この発明の第２の実施形態に係わるコンテンツ配信システムの動作の概要を示す図。
【図１０】図９に示したシステムの機能構成と動作手順を示す図。
【図１１】この発明の第３の実施形態に係わるコンテンツ配信システムの全体構成図。
【図１２】図１１に示したシステムによるコンテンツ閲覧切替動作の第１の実施例を示す図。
【図１３】図１１に示したシステムによるコンテンツ閲覧切替動作の第２の実施例を示す図。
【図１４】図１２及び図１３に示したコンテンツ閲覧切替動作のシーケンスの概要を示す図。
【図１５】図１２に示したコンテンツ閲覧切替動作のシーケンスの詳細を示す図。
【図１６】図１２の一部と図１３に示したコンテンツ閲覧切替動作のシーケンスの詳細を示す図。
【図１７】この発明の第４の実施形態に係わるコンテンツ配信システムによるコンテンツ再生制御動作の概要を示す図。
【図１８】図１７に示したコンテンツ再生制御動作のシーケンスを示す図。
【図１９】この発明の第５の実施形態に係わるコンテンツ配信システムの全体構成図。
【図２０】図１９に示したコンテンツ配信システムのうち、移動端末と配信制御サーバとの間で信号を送受信するための構成を示すブロック図。
【図２１】図１９に示したコンテンツ配信システムにおけるコンテンツ配信制御動作を説明するための図。
【図２２】コンテンツフィルタ部に記憶される配信ポリシ情報野市例を示す図。
【図２３】図１９に示したコンテンツ配信システムの具体例を示す図。
【図２４】図２３に示したシステムによるコンテンツ配信手順の前半部分を示すシーケンス図。
【図２５】図２３に示したシステムによるコンテンツ配信手順の後半部分を示すシーケンス図。
【発明を実施するための形態】
【００４０】
以下、図面を参照してこの発明に係わる実施形態を説明する。  
（第１の実施形態）  
図１は、この発明に係わるコンテンツ配信システムの第１の実施形態を示す概略構成図である。このコンテンツ配信システムは、移動系ＩＭＳ（IP Multimedia Subsystem）網ＮＷ１と、固定系ＩＭＳ網ＮＷ２との間に配信制御サーバＤＳＶを配置し、この配信制御サーバＤＳＶにコンテンツ配信事業者サーバＡＰ１，ＡＰ２を接続したものである。移動系ＩＭＳ網ＮＷ１及び固定系ＩＭＳ網ＮＷ２と配信制御サーバＤＳＶとの間の接続インタフェースとしてはSIP／SOAPインタフェースが用いられ、また配信制御サーバＤＳＶとコンテンツ配信事業者サーバＡＰ１，ＡＰ２との間の接続インタフェースとしてはHTTPが用いられる。
【００４１】
移動系ＩＭＳ網ＮＷ１は、ＳＩＰサーバと、加入者情報データベース（ＨＳＳ）１４と、ＳＩＰアプリケーション・サーバ（SIP AS）１５と、ユーザプロファイルデータベース１６と、位置情報サーバ１７を備えている。  
ＳＩＰサーバは、Ｐ−ＣＳＣＦ（Proxy−Call Session Control Function）１１と、Ｓ−ＣＳＣＦ（Serving−Call Session Control Function）１２と、Ｉ−ＣＳＣＦ（Interrogating−Call Session Control Function）１３を有している。Ｐ−ＣＳＣＦ１１は、プロキシサーバとして機能するもので、このＰ−ＣＳＣＦ１１には携帯電話機やＰＤＡ（Personal Digital Assistant）等の移動端末ＭＳ１〜ＭＳｎが接続される。Ｓ−ＣＳＣＦ１２は、セッション制御サーバとして機能するもので、加入者情報データベース（ＨＳＳ）１４に記憶された加入者情報に基づいて、移動端末ＭＳ１〜ＭＳｎ及びＳＩＰアプリケーション・サーバ１５に対するＳＩＰセッションの確立や開放等のセッション制御処理を行う。
【００４２】
加入者情報データベース（ＨＳＳ）１４には、移動系ＩＭＳＮＷ１に加入登録された複数の移動端末ＭＳ１〜ＭＳｎの加入者情報が格納される。ユーザプロファイルデータベース１６には、上記複数の移動端末ＭＳ１〜ＭＳｎの各ユーザのプロファイル情報が格納されている。プロファイル情報には、例えばユーザの年齢や性別、職業、趣味等が含まれる。位置情報サーバ１７は、上記複数の移動端末ＭＳ１〜ＭＳｎの現在位置を例えば一定の時間間隔で検出し、この検出された位置情報を記憶媒体に記憶する。位置情報は例えば緯度経度により表される。
【００４３】
ＳＩＰアプリケーション・サーバ１５は、サービス提供のための種々アプリケーションを記憶したもので、配信制御サーバＤＳＶ、Ｓ−ＣＳＣＦ１１、ユーザプロファイルデータベース１６及び位置情報サーバ１７に接続される。上記サービス提供のためのアプリケーションには、この発明に係わる制御機能として、移動端末ＭＳ１〜ＭＳｎの位置及びプロファイル情報の検索機能が含まれる。
【００４４】
固定系ＩＭＳ網ＮＷ２も、上記移動系ＩＭＳ網ＮＷ１と同様に、Ｐ−ＣＳＣＦ２１、Ｓ−ＣＳＣＦ２２及びＩ−ＣＳＣＦ２３を備えるＳＩＰサーバと、加入者情報データベース（ＨＳＳ）２４と、ＳＩＰアプリケーション・サーバ（SIP AS）２５と、ユーザプロファイルデータベース２６と、位置情報サーバ２７とを備えている。
【００４５】
Ｐ−ＣＳＣＦ１１には、複数の固定端末ＦＳ１〜ＦＳｍが接続される。これらの固定端末ＦＳ１〜ＦＳｍは、繁華街や街角、駅、店舗前等の人通りの多い場所に設置され、電光掲示板やスクリーン等のディスプレイを備えている。Ｓ−ＣＳＣＦ１２は、セッション制御サーバとして機能するもので、加入者情報データベース（ＨＳＳ）２４に記憶された加入者情報に基づいて、固定端末ＦＳ１〜ＦＳｍ及びＳＩＰアプリケーション・サーバ２５に対するSIPセッションの確立や開放等のセッション制御処理を行う。
【００４６】
加入者情報データベース（ＨＳＳ）２４には、固定系ＩＭＳＮＷ２に加入登録された固定端末ＦＳ１〜ＦＳｍに関する加入者情報が格納される。ユーザプロファイルデータベース２６には、上記複数の固定端末ＦＳ１〜ＦＳｍのプロファイル情報が格納される。プロファイル情報には、例えば固定端末ＦＳ１〜ＦＳｍが取り扱うことが可能なデータ形式や表示スペックを表す情報が含まれる。位置情報サーバ２７は、上記複数の固定端末ＦＳ１〜ＦＳｍの設置位置を表す情報を記憶媒体に記憶する。位置情報は例えば緯度経度により表される。
【００４７】
ＳＩＰアプリケーション・サーバ２５は、サービス提供のための種々アプリケーションを記憶したもので、配信制御サーバＤＳＶ、Ｓ−ＣＳＣＦ２１、ユーザプロファイルデータベース２６及び位置情報サーバ２７に接続される。上記サービス提供のためのアプリケーションには、この発明に係わる制御機能として、配信先の固定端末を選択する機能と、Ｓ−ＣＳＣＦ２１に対し配信用セッションの確立及び終了を指示する機能が含まれる。
【００４８】
配信制御サーバＤＳＶは、上記移動系ＩＭＳ網ＮＷ１及び固定系ＩＭＳ網ＮＷ２が備える端末の位置管理機能及びプロファイル管理機能を利用してこの発明に係わるコンテンツ配信を統括的に制御するもので、その制御機能として以下の機能を備える。  
(1) コンテンツ配信事業者サーバＡＰ１，ＡＰ２から、コンテンツ提示対象となる移動端末の指定情報又は配信条件を受信し、この受信した指定情報又は配信条件を移動系ＩＭＳ網ＮＷ１のＳＩＰアプリケーション・サーバ１５に送信して、該当する移動端末の位置情報及びプロファイル情報の検索を行わせる処理。  
(2) 移動系ＩＭＳ網ＮＷ１から、コンテンツ提示対象として指定した移動端末又は配信条件に該当する移動端末の位置情報及びプロファイル情報を受信し、この受信した位置情報を含むコンテンツ配信要求を固定系ＩＭＳ網ＮＷ２のＳＩＰアプリケーション・サーバ２５へ送信する。そして、コンテンツ配信先となる固定端末の選択と、この選択した固定端末と配信制御サーバＤＳＶとの間にコンテンツ配信用のセッションを確立させる処理。
【００４９】
(3)  上記移動系ＩＭＳ網ＮＷ１から受信した移動端末のプロファイル情報をもとに配信対象のコンテンツを選択し、この選択したコンテンツの配信をコンテンツ配信事業者サーバＡＰ１，ＡＰ２に対し指示する。そして、この指示に対しコンテンツ配信事業者サーバＡＰ１，ＡＰ２から送信されたコンテンツを、上記確立されたコンテンツ配信用セッションにより形成されるメディア転送路ＭＲを経て固定端末へ転送させる処理。
【００５０】
次に、上記コンテンツ配信事業者サーバＡＰ１，ＡＰ２、配信制御サーバＤＳＶ、移動系ＩＭＳ網ＮＷ１及び固定系ＩＭＳ網ＮＷ２の構成をさらに詳しく説明する。  
（１）コンテンツ配信事業者サーバＡＰ１，ＡＰ２及び配信制御サーバＤＳＶ
図２はその機能構成を示すブロック図である。  
コンテンツ配信事業者サーバＡＰ１，ＡＰ２は、コンテンツ配信条件入力部３１と、コンテンツ配信条件登録完了受信部３２と、コンテンツ配信要求送信部３３と、コンテンツ配信要求応答受信部３４と、コンテンツデータベース３５と、コンテンツ配信処理部３６を備える。
【００５１】
コンテンツ配信条件入力部３１は、コンテンツ配信事業者のオペレータによる、コンテンツの配信ターゲットとなる移動端末の指定情報又はコンテンツ配信条件の入力を受け付け、この受け付けた移動端末の指定情報又はコンテンツ配信条件を配信制御サーバＤＳＶへ送信する。コンテンツ配信条件には、例えば配信対象地域の位置情報と、配信ターゲットとなるユーザのプロファイル情報と、配信コンテンツが記憶された場所を表すURLが含まれる。コンテンツ配信条件登録完了受信部３２は、上記移動端末の指定情報又はコンテンツ配信条件の送信に対し配信制御サーバＤＳＶから返送されるコンテンツ配信条件登録完了通知を受信する。
【００５２】
コンテンツ配信要求送信部３３は、上記コンテンツ配信条件等の登録完了後に、オペレータの操作に応じて配信制御サーバＤＳＶに対しコンテンツ配信要求を送信する。コンテンツ配信要求応答受信部３４は、後述するコンテンツのPush配信手順Ｘ中に配信制御サーバＤＳＶから送信されるコンテンツ配信要求応答を受信する。
【００５３】
コンテンツデータベース３５には、配信対象の複数のコンテンツが記憶される。コンテンツ配信処理部３６は、上記コンテンツ配信要求応答受信部３４によりコンテンツ配信要求が受信されたとき、当該コンテンツ配信要求に含まれる配信対象となるコンテンツの識別情報に従い、上記コンテンツデータベース３５から該当するコンテンツを読み出して配信制御サーバＤＳＶへ転送する。
【００５４】
配信制御サーバＤＳＶは、配信条件入力受信部４０と、配信条件データ整形部４１と、配信条件登録要求送信部４２と、配信条件登録応答受信部４３と、配信条件登録完了送信部４４と、配信条件データ記憶部４５と、コンテンツ配信要求受信部４６と、位置条件該当端末確認要求部４７と、位置条件該当端末確認応答受信部４８と、配信条件適合通知受信部５０と、コンテンツ配信要求送信部５１と、コンテンツ配信要求・応答送受信部５２と、セッション制御機能部５３と、メディア配信制御部５４と、メディア配信処理部５５を備えている。
【００５５】
配信条件入力受信部４０は、上記コンテンツ配信事業者サーバＡＰ１，ＡＰ２から送信されたコンテンツ配信条件を受信する。配信条件データ整形部４１は、上記受信されたコンテンツ配信条件を表すデータを整形して配信条件データ記憶部４５に記憶させる。配信条件登録要求送信部４２は、上記配信条件データの登録要求を移動系ＩＭＳ網ＮＷ１のＳＩＰアプリケーション・サーバ１５へ送信する。配信条件登録応答受信部４３は、上記配信条件データ登録要求の送信に対し移動系ＩＭＳ網ＮＷ１のＳＩＰアプリケーション・サーバ１５から返送される配信条件登録応答を受信する。配信条件登録完了送信部４４は、上記配信条件登録応答受信部４３により配信条件登録応答が受信されたとき、配信条件登録完了通知を上記コンテンツ配信事業者サーバＡＰ１，ＡＰ２へ送信する。
【００５６】
コンテンツ配信要求受信部４６は、上記コンテンツ配信事業者サーバＡＰ１，ＡＰ２から送信されたコンテンツ配信要求を受信する。位置条件該当端末確認要求部４７は、上記コンテンツ配信要求を受信したとき、配信条件に含まれる配信対象地域の位置情報に該当する移動端末の確認要求を移動系ＩＭＳ網ＮＷ１のＳＩＰアプリケーション・サーバ１５へ送信する。位置条件該当端末確認応答受信部４８は、上記確認要求の送信に対し移動系ＩＭＳ網ＮＷ１のＳＩＰアプリケーション・サーバ１５から返送される、配信条件に含まれる配信対象地域の位置情報に該当する移動端末の位置情報とプロファイル情報を受信する。
【００５７】
配信条件適合通知受信部５０は、移動系ＩＭＳ網ＮＷ１のＳＩＰアプリケーション・サーバ１５から送信される、コンテンツ提示対象となる移動端末に対する配信可否の判定結果を受信し、この受信した判定結果をコンテンツ配信要求送信部５１に通知する。コンテンツ配信要求送信部５１は、上記通知された判定結果が配信可能だった場合に、上記位置条件該当端末確認応答受信部４８により受信された移動端末の位置情報を含むコンテンツ配信要求を生成して、固定系ＩＭＳ網ＮＷ２のＳＩＰアプリケーション・サーバ２５へ送信する。
【００５８】
コンテンツ配信要求応答受信部５２は、コンテンツのPush配信手順Ｘ中に固定系ＩＭＳ網ＮＷ２のＳＩＰアプリケーション・サーバ２５から送信されるコンテンツ配信要求応答の受信を行う。セッション制御機能部５３は、コンテンツのPush配信手順Ｘ中に固定系ＩＭＳ網ＮＷ２のＳＩＰアプリケーション・サーバ２５又はSIPサーバ（Ｓ−ＣＳＣＦ）２１との間で、セッションの確立及び終了のための制御信号を送受信する。
【００５９】
メディア配信制御部５４は、固定端末との間にセッションが確立された状態で、固定系ＩＭＳ網ＮＷ２のＳＩＰアプリケーション・サーバ２５から取得される、配信先となる固定端末のプロファイル情報に応じて、コンテンツのデータ形式を固定端末が取り扱うことが可能な形式となるように、メディア配信処理部５５に指示を与える。メディア配信処理部５５は、コンテンツ配信事業者サーバＡＰ１，ＡＰ２から送信されたコンテンツを、そのデータ形式を変換したのち、上記セッションにより形成されるメディア経路ＭＲを介して配信先の固定端末へ向け送信する。
【００６０】
（２）移動系ＩＭＳ網ＮＷ１
図３は、移動系ＩＭＳ網ＮＷ１を構成する各機能部のうち、ＳＩＰアプリケーション・サーバ１５及び位置情報サーバ１７の機能構成を示すブロック図である。  
ＳＩＰアプリケーション・サーバ１５は、配信条件登録要求受信部１５０と、配信条件登録要求送信部１５１と、配信条件登録応答受信部１５２と、配信条件登録応答送信部１５３と、配信条件適合通知受信部１５４と、配信条件適合通知送信部１５５と、位置条件該当端末確認要求受信部１５６と、位置条件該当端末確認要求送信部１５７と、位置条件該当端末検索応答受信部１５８と、位置条件該当端末確認応答送信部１５９を備える。
【００６１】
配信条件登録要求受信部１５０は、上記配信制御サーバＤＳＶから送信される配信条件の登録要求を受信する。配信条件登録要求送信部１５１は、上記受信された配信条件登録要求を位置情報サーバ１７へ送信する。配信条件登録応答受信部１５２は、上記配信条件登録要求の送信に対し位置情報サーバ１７から返送される配信条件登録応答通知を受信する。配信条件登録応答送信部１５３は、上記受信された配信条件登録応答通知を配信制御サーバＤＳＶへ転送する。
【００６２】
配信条件適合通知受信部１５４は、位置情報サーバ１７から送信される配信条件適合通知、つまりコンテンツ提示対象となる移動端末に対する配信可否の判定結果を表す通知を受信する。配信条件適合通知送信部１５５は、上記受信された配信条件適合通知を配信制御サーバＤＳＶへ転送する。
【００６３】
位置条件該当端末確認要求受信部１５６は、配信制御サーバＤＳＶから送信される、配信条件に含まれる位置情報に該当する移動端末の確認要求を受信する。位置条件該当端末検索要求送信部１５７は、上記確認要求が受信されたとき、該当端末の検索要求を位置情報サーバ１７へ送信する。位置条件該当端末検索応答受信部１５８は、上記検索要求に対し位置情報サーバ１７から返送される、移動端末の位置情報の検索応答を受信する。位置条件該当端末確認応答送信部１５９は、上記検索応答が受信されたとき、ユーザプロファイルデータベース１６から上記移動端末のプロファイル情報を読み出し、このプロファイル情報と上記移動端末の検索応答を、移動端末の位置情報確認応答として配信制御サーバＤＳＶへ返送する。
【００６４】
位置情報サーバ１７は、配信条件登録要求受信部１７０と、登録処理部１７１と、配信条件登録応答送信部１７２と、配信条件適合イベント検知機能部１７３と、配信条件適合通知送信部１７４と、位置条件該当端末検索要求受信部１７５と、検索処理部１７６と、位置条件該当端末検索応答送信部１７７を備えている。
【００６５】
配信条件登録要求受信部１７０は、上記ＳＩＰアプリケーション・サーバ１５から送信される配信条件登録要求を受信して登録処理部１７１に渡す。登録処理部１７１は、上記登録要求に応じて配信条件をメモリに記憶する。配信条件登録応答送信部１７２は、上記配信条件の登録が終了すると、配信条件登録応答をＳＩＰアプリケーション・サーバ１５へ返送する。
【００６６】
位置条件該当端末検索要求受信部１７５は、上記ＳＩＰアプリケーション・サーバ１５から送信される端末検索要求を受信して検索処理部１７６に渡す。検索処理部１７６は、上記端末検索要求に含まれる位置条件に該当する移動端末を図示しない位置情報データベースから検索し、そのリストを作成する。位置条件該当端末検索応答送信部１７７は上記作成された移動端末のリストを含む検索応答をＳＩＰアプリケーション・サーバ１５へ送信する。
【００６７】
配信条件適合イベント検知機能部１７３は、端末位置情報の変化により、新たな端末の配信条件への適合が発生した場合に、当該移動端末のプロファイル情報をユーザプロファイルデータベース１６から読み出し、このプロファイル情報を上記メモリに記憶された配信条件と比較することにより配信可否を判定する。配信条件適合通知送信部１７４は、上記配信可否の判定結果をＳＩＰアプリケーション・サーバ１５へ送信する。なお、これらの配信条件適合イベント検知機能部１７３及び配信条件適合通知送信部１７４は、ＳＩＰアプリケーション・サーバ１５に備えるようにしてもよい。
【００６８】
（３）固定系ＩＭＳ網ＮＷ２
図４は、固定系ＩＭＳ網ＮＷ２を構成する各機能部のうち、ＳＩＰアプリケーション・サーバ２５及び位置情報サーバ２７の機能構成を示すブロック図である。  
ＳＩＰアプリケーション・サーバ２５は、コンテンツ配信要求受信部２５０と、コンテンツ配信セッション確立処理部２５１と、配信先端末情報要求送信部２５２と、コンテンツ配信要求応答送信部２５３と、配信先端末情報応答受信部２５４と、セッション確立機能部２５５を備えている。
【００６９】
コンテンツ配信要求受信部２５０は、配信制御サーバＤＳＶから送信されるコンテンツ配信要求を受信する。配信先端末情報要求送信部２５２は、上記受信されたコンテンツ配信要求に含まれる移動端末の位置情報を含む配信先端末情報の検索要求を生成して位置情報サーバ２７へ送信する。配信先端末情報応答受信部２５４は、上記検索要求に対し位置情報サーバ２７から返送される、配信先となる固定端末の検索結果を表す情報（固定端末リスト）を受信する。
【００７０】
コンテンツ配信セッション確立処理部２５１は、上記配信先となる固定端末の検索結果が受信されると、先ず当該固定端末のプロファイル情報をユーザプロファイルデータベース２６から取得する。次に、ＳＩＰアプリケーション・サーバ２５と上記配信先となる固定端末との間にセッションを確立させるための指示をセッション確立機能部２５５に与える。そして、当該セッションが確立されると、続いてＳＩＰアプリケーション・サーバ２５と配信制御サーバＤＳＶとの間にセッションを確立させるための指示をセッション確立機能部２５５に与える。そして、当該セッションが確立されると、以後固定端末から送信されるコンテンツ配信要求をコンテンツ配信要求応答送信部２５３に転送する。コンテンツ配信要求応答送信部２５３は、上記コンテンツ配信要求応答を配信制御サーバＤＳＶへ送信する。
【００７１】
セッション確立機能部２５５は、上記コンテンツ配信セッション確立処理部２５１の指示を受けて、Ｓ−ＣＳＣＦ２１との間でセッション確立要求及びその応答を送受信することにより、上記配信先となる固定端末との間、及び配信制御サーバＤＳＶとの間にそれぞれセッションを確立するための処理を実行する。
【００７２】
位置情報サーバ２７は、配信先端末情報要求受信部２７０と、配信先端末情報応答送信部２７１を備えている。配信先端末情報要求受信部２７０は、上記ＳＩＰアプリケーション・サーバ２５から送信される配信先端末情報の検索要求を受信し、この検索要求を配信先端末情報応答送信部２７１に渡す。配信先端末情報応答送信部２７１は、上記検索要求に含まれる移動端末の位置を中心として予め定めた領域に存在する固定端末を図示しない位置情報データベースから検索する。そして、この検索された固定端末のリストをＳＩＰアプリケーション・サーバ２５へ返送する。
【００７３】
次に、以上のように構成されたシステムによるコンテンツ配信動作の実施例を説明する。  
（実施例１）
実施例１は、コンテンツ配信事業者サーバがコンテンツ提示対象となる特定の移動端末を指定し、この指定した移動端末の位置情報とプロファイル情報を移動系ＩＭＳ網から取得する。そして、この取得した位置情報に近い位置に配置されている固定端末を固定系ＩＭＳ網により選択してこの固定端末とコンテンツ配信事業者サーバとの間にセッションを確立し、移動端末のプロファイル情報に対応するコンテンツを固定端末へ配信し表示させるものである。
【００７４】
図５及び図６はその動作手順を示すシーケンス図である。  
移動系ＩＭＳ網ＮＷ１において、移動端末ＭＳ１〜ＭＳｎはそれぞれ、電源が投入されるか又はセル間を移動するごとに自端末の位置情報をＰ−ＣＳＣＦ１２を介してＳ−ＣＳＣＦ１１に送信する。Ｓ−ＣＳＣＦ１１は上記移動端末ＭＳ１〜ＭＳｎの位置情報を受信すると、この位置情報を位置情報サーバ１７へ送る。位置情報サーバ１７は、上記位置情報を受信するとこの位置情報を位置情報データベースに新規登録するか又は位置情報データベース中の該当する情報を更新する。そして、この位置登録処理を終了すると位置情報登録完了通知を返送する。この位置情報登録完了通知はＳ−ＣＳＣＦ１１からＰ−ＣＳＣＦ１２を介して送信元の移動端末ＭＳ１〜ＭＳｎに転送される。以後同様に、移動端末ＭＳ１〜ＭＳｎの存在位置が変化するごとに、位置情報データベースの位置情報が更新される。
【００７５】
この状態で、コンテンツ配信事業者サーバＡＰ１，ＡＰ２において、コンテンツ提示対象となる特定の移動端末ユーザ（例えばＭＳｉ）が指定され、この指定情報を含むコンテンツ配信要求が送信されたとする。配信制御サーバＤＳＶは、上記コンテンツ配信要求を受信すると、移動系ＩＭＳ網ＮＷ１のＳＩＰアプリケーション・サーバ１５に対し条件適合端末位置情報の確認要求を送信する。この確認要求を受信するとＳＩＰアプリケーション・サーバ１５は、位置情報サーバ１７に対し条件適合端末検索要求を送信する。位置情報サーバ１７は、上記検索要求を受信すると、この受信した検索要求に含まれる移動端末の指定情報をもとに位置情報データベースを検索して、該当する移動端末ＭＳｉの位置情報を読み出す。なお、特定の移動端末ユーザとして複数の移動端末ユーザが指定されていた場合には、これらの移動端末の位置情報をリスト化する。そして、この作成された移動端末の位置情報のリストをＳＩＰアプリケーション・サーバ１５へ返送する。
【００７６】
続いてＳＩＰアプリケーション・サーバ１５は、上記移動端末ＭＳｉのプロファイル情報の取得要求（配信ポリシ要求）をユーザプロファイルデータベース１６に送り、当該データベース１６から該当する移動端末ＭＳｉのプロファイル情報を配信ポリシ応答として受信する。そして、上記取得された該当端末ＭＳｉの位置情報とプロファイル情報を、条件適合端末位置情報の応答通知として配信制御サーバＤＳＶへ返送する。
【００７７】
さて、上記条件適合端末位置情報の応答通知を受信すると配信制御サーバＤＳＶは、次に図６に示すように固定系ＩＭＳ網ＮＷ２のＳＩＰアプリケーション・サーバ２５に対しコンテンツ配信要求を送信する。このコンテンツ配信要求を受信すると、固定系ＩＭＳ網ＮＷ２では以下のようにコンテンツのPush配信手順Ｘが実行される。
【００７８】
すなわち、上記コンテンツ配信要求を受信するとＳＩＰアプリケーション・サーバ２５は、位置情報サーバ２７に対し配信先となる固定端末の検索要求を送信する。この検索要求を受信すると位置情報サーバ２７は、当該検索要求に含まれる移動端末ＭＳｉの位置情報をもとに、当該移動端末ＭＳｉの位置を中心として予め定めた範囲内に設置されている固定端末を検索する。例えば、移動端末ＭＳｉの位置を中心に半径５０ｍ以内に設置されている固定端末ＦＳｊを検索する。なお、このとき条件に適合する固定端末が複数検索された場合には、これらをリスト化する。そして、この検索結果を表す応答情報をＳＩＰアプリケーション・サーバ１５へ返送する。
【００７９】
続いてＳＩＰアプリケーション・サーバ１５は、上記検索結果を表す応答情報に記載された固定端末ＦＳｊの情報をもとに、当該固定端末ＦＳｊのプロファイル取得要求をユーザプロファイルデータベース２６に送り、当該データベース２６から該当する固定端末ＦＳｊのプロファイル情報を受信する。
【００８０】
次にＳＩＰアプリケーション・サーバ１５は、自サーバ１５と上記検索された固定端末ＦＳｊとの間にセッションを確立するためのセッション確立要求を、Ｓ−ＣＳＣＦ２１へ送る。Ｓ−ＣＳＣＦ２１は、上記セッション確立要求を受信すると固定端末ＦＳｊとの間でセッション確立要求とその確立応答の送受信を行い、この確立応答をＳＩＰアプリケーション・サーバ１５に返送する。かくして、ＳＩＰアプリケーション・サーバ１５と固定端末ＦＳｊとの間にセッションが確立される。
【００８１】
さらにＳＩＰアプリケーション・サーバ１５は、自サーバ１５と配信制御サーバＤＳＶとの間にセッションを確立するためのセッション確立要求を、Ｓ−ＣＳＣＦ２１へ送る。Ｓ−ＣＳＣＦ２１は、上記セッション確立要求を受信すると配信制御サーバＤＳＶとの間でセッション確立要求とその確立応答の送受信を行い、この確立応答をＳＩＰアプリケーション・サーバ１５に返送する。かくして、ＳＩＰアプリケーション・サーバ１５と配信制御サーバＤＳＶとの間にセッションが確立され、このセッションと、先に固定端末ＦＳｊとの間に確立されたセッションとにより、配信制御サーバＤＳＶと固定端末ＦＳｊとの間にコンテンツ配信用のセッションが確立される。
【００８２】
上記セッションが確立されると、ＳＩＰアプリケーション・サーバ１５からセッション確立完了通知がＳ−ＣＳＣＦ２１へ送られ、さらに固定端末ＦＳｊに転送される。固定端末ＦＳｊは、上記セッション確立完了通知を受信すると配信制御サーバＤＳＶに対しコンテンツ配信要求を送信する。このコンテンツ配信要求を受信すると配信制御サーバＤＳＶは、先に移動系ＩＭＳ網ＮＷ１のＳＩＰアプリケーション・サーバ１５から取得した移動端末ＭＳｉのプロファイル情報をもとに、当該プロファイル情報に対応するコンテンツの識別情報を選択する。例えば、プロファイル情報に記載されたユーザの年齢、性別、職業、趣味等に応じて予め分類されてメモリに記憶されていた配信コンテンツのリストの中から、該当するコンテンツの識別情報を選択する。そして、この選択されたコンテンツの識別情報を含むコンテンツ配信要求をコンテンツ配信事業者サーバＡＰ１，ＡＰ２へ送信する。
【００８３】
コンテンツ配信要求が受信されるとコンテンツ配信事業者サーバＡＰ１，ＡＰ２は、この受信されたコンテンツ配信要求に含まれるコンテンツ識別情報に従い、コンテンツデータベース３５から該当するコンテンツを読み出して送信する。この結果、上記コンテンツは配信制御サーバＤＳＶを経て固定端末ＦＳｊへ転送される。
【００８４】
なお、このコンテンツの転送過程において配信制御サーバＤＳＶでは、固定系ＩＭＳ網ＮＷ２のＳＩＰアプリケーション・サーバ２５から取得した、配信先となる固定端末ＦＳｊのプロファイル情報に基づいて、コンテンツのデータ形式が固定端末ＦＳｊで取り扱うことが可能な形式となるように変換される。このため、固定端末ＦＳｊのデータ形式や表示スペックがどのようなものであっても、コンテンツは固定端末ＦＳｊにおいて適切に表示される。
【００８５】
最後に、コンテンツの転送が終了すると、配信制御サーバＤＤＳＶからＳＩＰアプリケーション・サーバ２５を介して固定端末ＦＳｊに対しセッション終了通知が送られる。そして、このセッション終了通知に対し固定端末からセッション終了確認が返送され、この終了確認がＳＩＰアプリケーション・サーバ２５を介して配信制御サーバＤＳＤＶへ転送されると、システムのコンテンツ配信動作は終了となる。
【００８６】
（実施例２）
この実施例２は、コンテンツ配信事業者サーバがコンテンツの配信条件を指定し、この指定した配信条件に適合する移動端末の位置情報とプロファイル情報を移動系ＩＭＳ網から取得する。そして、この取得した位置情報に近い位置に配置されている固定端末を固定系ＩＭＳ網により選択してこの固定端末とコンテンツ配信事業者サーバとの間にセッションを確立し、移動端末のプロファイル情報に対応するコンテンツを固定端末へ配信し表示させるものである。
【００８７】
図７はその動作手順を示すシーケンス図である。なお、移動系ＩＭＳ網ＮＷ１における移動端末ＭＳ１〜ＭＳｎの位置情報管理手順については、実施例１（図５）で説明したのでここでは説明を省略する。  
コンテンツ配信事業者サーバＡＰ１，ＡＰ２では、オペレータがコンテンツの配信条件を入力する。この配信条件の入力は、操作端末において例えば図８に示すような配信条件入力画面を表示し、この入力画面において条件を入力するか又は予め用意されているリストの中から選択することによりなされる。入力する配信条件は、コンテンツの配信対象地域の位置情報と、配信ターゲットとなる移動端末ユーザのプロファイル情報と、配信するコンテンツが記憶された場所を示すURLからなる。オペレータが上記配信条件の入力を終了して送信操作を行うと、コンテンツ配信事業者サーバＡＰ１，ＡＰ２から配信制御サーバＤＳＶへ配信条件登録要求が送信される。
【００８８】
配信制御サーバＤＳＶは、上記配信条件登録要求を受信すると、この登録要求を移動系ＩＭＳ網ＮＷ１のＳＩＰアプリケーション・サーバ１５へ転送する。この配信条件登録要求を受信するとＳＩＰアプリケーション・サーバ１５は、当該配信条件を位置情報サーバ１７へ送る。位置情報サーバ１７は、上記配信条件をメモリに記憶し、この記憶処理終了後に配信条件登録完了通知をＳＩＰアプリケーション・サーバ１５へ返送する。この配信条件登録完了通知は、ＳＩＰアプリケーション・サーバ１５から配信制御サーバＤＳＶへ返送され、さらに要求元のコンテンツ配信事業者サーバＡＰ１，ＡＰ２へ転送される。
【００８９】
さて、この状態である移動端末ＭＳｉが、上記配信条件として指定された地域内に移動するか、又はこの地域で電源を投入したとする。そうすると、位置情報サーバ１７の位置情報データベースに記憶された当該移動端末ＭＳｉの位置情報が、上記新たなものに更新される。位置情報サーバ１７は、上記更新された移動端末ＭＳｉの位置情報が、メモリに記憶されている配信条件に適合するか否かを判定する。例えば、配信条件に記載された位置情報により表される地域に、上記移動端末ＭＳｉの位置が含まれるか否かを判定する。この判定の結果、上記移動端末ＭＳｉの位置情報が適合したとすると、当該移動端末ＭＳｉの識別情報をＳＩＰアプリケーション・サーバ１５に送信する。
【００９０】
続いてＳＩＰアプリケーション・サーバ１５は、上記配信条件に適合する移動端末ＭＳｉの識別情報を受信すると、この受信した識別情報をもとにユーザプロファイルデータベース１６に対しアクセスし、当該移動端末ＭＳｉのプロファイル情報を取得する。このプロファイル情報を取得するとＳＩＰアプリケーション・サーバ１５は、取得した移動端末ＭＳｉのプロファイル情報を上記配信条件メモリの配信条件に記載されたプロファイル情報と比較し、これにより配信の可否を判定する。例えば、いま配信条件に記載されたプロファイル情報が図８に示したように「２０歳代男性」であり、移動端末ＭＳｉのプロファイル情報も「２０歳代男性」だったとすれば、両者は一致するので配信可能と判定する。そして、この配信可能である旨の情報と、上記配信条件に記載された配信対象地域の位置情報を含むコンテンツ配信要求が生成され、このコンテンツ配信要求が配信制御サーバＤＳＶへ送信される。
【００９１】
配信制御サーバＤＳＶは、ＳＩＰアプリケーション・サーバ１５から上記コンテンツ配信要求を受信すると、当該コンテンツ配信要求を固定系ＩＭＳ網ＮＷ２のＳＩＰアプリケーション・サーバ２５へ送信する。そうすると、固定系ＩＭＳ網ＮＷ２において、先に述べた実施例１と同様に図６に示したコンテンツのPush配信手順Ｘが実行され、この結果配信条件によりURLで指定されるコンテンツがコンテンツ配信事業者サーバＡＰ１，ＡＰ２から固定端末ＦＳｊへコンテンツが配信される。
【００９２】
以上詳述したように第１の実施形態では、コンテンツ配信事業者サーバＡＰ１，ＡＰ２からコンテンツ提示対象となる特定の移動端末ＭＳｉを指定するか、又はコンテンツの配信場所やプロファイルを含む配信条件を指定し、配信制御サーバＤＳＶが移動系ＩＭＳ網ＮＷ１から上記指定された移動端末ＭＳｉ又は配信条件に適合する移動端末の位置情報とプロファイル情報を取得する。そして、この取得した位置情報に近い位置に配置されている固定端末ＦＳｊを固定系ＩＭＳ網ＮＷ２により選択してこの固定端末ＦＳｊとコンテンツ配信事業者サーバＡＰ１，ＡＰ２との間にセッションを確立し、移動端末ＭＳｉのプロファイル情報に対応するコンテンツを固定端末ＦＳｊへ配信し表示させるようにしている。
【００９３】
したがって、移動系ＩＭＳ網ＮＷ１が備える移動端末ＭＳ１〜ＭＳｎの位置情報及びプロファイル情報の管理機能と、固定系ＩＭＳ網ＮＷ２が備える位置情報管理機能とセッション制御機能を利用して、配信ターゲットとする移動端末ＭＳｉの近くに配置されている固定端末ＦＳｊを選択し、この固定端末ＦＳｊに対し上記移動端末ＭＳｉのプロファイル情報に対応するコンテンツを配信し表示させることが可能となる。このため、移動端末ユーザが存在する場所において、当該移動端末ユーザにとって興味のある情報を提示することが可能となり、高いコンテンツ効果が期待できる。しかも、移動系ＩＭＳ網ＮＷ１及び固定系ＩＭＳ網ＮＷ２が備える端末の位置情報及びプロファイル情報の管理機能を利用することでこの発明を実現するようにしているので、すべての機能を配信制御サーバＤＳＶに設ける場合に比べ簡単かつ安価に実現できる利点がある。
【００９４】
また、コンテンツ配信事業者サーバＡＰ１，ＡＰ２が配信ターゲットとなる移動端末を指定する配信方式と、コンテンツ配信事業者サーバＡＰ１，ＡＰ２が配信対象となる地域と配信ターゲットとなるユーザのプロファイルを配信条件として指定する配信方式とを選択的に使用することができる。
【００９５】
さらに、配信制御サーバＤＳＶが、コンテンツの配信先となる固定端末ＦＳ１〜ＦＳｍのプロファイル情報を固定系ＩＭＳ網ＮＷ２から取得し、この取得された固定端末ＦＳ１〜ＦＳｍのプロファイル情報に基づいてコンテンツのデータ形式を配信先の固定端末ＦＳ１〜ＦＳｍで取り扱うことが可能な形式に変換するようにしている。このため、固定端末ＦＳ１〜ＦＳｍが取り扱うコンテンツ復号方式や表示スペック等が固定端末ＦＳ１〜ＦＳｍごとに異なる場合でも、固定端末ＦＳ１〜ＦＳｍのデータ形式に応じてコンテンツを適切な形式で表示させることが可能となる。
【００９６】
（第２の実施形態）  
この発明の第２の実施形態は、コンテンツが固定端末に表示されている状態で、当該コンテンツの配信ターゲットとなった移動端末から送信される操作情報を移動系ＩＭＳ網ＮＷ１を介して配信制御サーバＤＳＶで受信し、この受信された操作情報に応じて、配信制御サーバＤＳＶが上記表示中のコンテンツに関連するコンテンツを選択し直し、この選択し直されたコンテンツを固定端末に配信するものである。
【００９７】
図９はその動作の概要を示す図、図１０はシステムの機能構成を示すブロック図である。なお、この実施形態における移動系ＩＭＳ網ＮＷ１、固定系ＩＭＳ網ＮＷ２、配信制御サーバＤＤＳＶ及びコンテンツ配信事業者サーバＡＰ１，ＡＰ２の基本構成は前記第１の実施形態と同一なので、前記図１乃至図４を延用して説明する。
【００９８】
移動系ＩＭＳ網ＮＷ１は、位置情報サーバ１７により各移動端末ＭＳ１，ＭＳ２，…の位置情報を管理している。この状態で、配信条件により予め指定したコンテンツ配信対象地域（管理エリアＥ１）に移動端末ＭＳ１が入ると、移動系ＩＭＳ網ＮＷ１はＳＩＰアプリケーション・サーバ１５により上記移動端末ＭＳ１の位置情報及びプロファイル情報を含むコンテンツ配信要求を配信制御サーバＤＳＶへ送信する。
【００９９】
配信制御サーバＤＳＶは、この発明に係わる制御機能として、コンテンツ配信要求受信部６１と、配信コンテンツ決定部６２と、移動端末連係機能部６３と、配信コンテンツ制御部６４を備えている。
コンテンツ配信要求受信部６１は、上記移動系ＩＭＳ網ＮＷ１のＳＩＰアプリケーション・サーバ１５から送信されるコンテンツ配信要求(1) を受信する。配信コンテンツ決定部６２は、上記コンテンツ配信要求(1) が受信されると、移動端末連係機能部６３に対し移動端末ＭＳ１への注意喚起メッセージ(2) の送信を指示する。移動端末連係機能部６３は、上記送信指示を受けて上記注意喚起メッセージ(2) を移動端末ＭＳ１へ送信する。
【０１００】
また配信コンテンツ決定部６２は、上記コンテンツ配信要求(1) に含まれるプロファイル情報をもとに移動端末ユーザのプロファイルに対応するコンテンツを選択し、配信コンテンツ制御部６４に対し当該コンテンツの配信を指示する。配信コンテンツ制御部６４は、上記指示に従いコンテンツ配信要求(3) を固定系ＩＭＳ網ＮＷ２のＳＩＰアプリケーション・サーバ２５に与える。
【０１０１】
固定系ＩＭＳ網ＮＷ２のＳＩＰアプリケーション・サーバ２５は、上記コンテンツ配信要求を受信すると、この配信要求に含まれる位置情報をもとに移動端末ＭＳ１が存在する地域に設置されている、配信先となる固定端末ＦＳ１を選択する(4) 。またそれと共に、当該選択した固定端末ＦＳ１と配信制御サーバＤＳＶとの間にセッションを確立するための処理を実行する。配信制御サーバＤＳＶの配信コンテンツ制御部６４は、上記選択されたコンテンツ(5) を、上記確立されたセッションにより形成されるメディア転送路を介して固定端末ＦＳ１へ転送する。
【０１０２】
また、配信制御サーバＤＳＶの移動端末連係機能部６３は、上記注意喚起メッセージの送信に対し移動端末ＭＳ１から送信されるコンテンツ配信制御情報(6) 、つまりコンテンツの更新要求を受信する機能を備える。配信コンテンツ決定部６２は、上記受信された更新要求に応じて配信コンテンツを更新し、配信コンテンツ制御部６４に指示する。
【０１０３】
次に、以上のように構成されたシステムの動作を図９を用いて説明する。  
移動端末ＭＳ１がコンテンツの配信対象地域（管理エリアＥ１）に入ると、移動系ＩＭＳ網ＮＷ１のＳＩＰアプリケーション・サーバ１５から移動端末ＭＳ１の位置情報及びプロファイル情報を含むコンテンツ配信要求が配信制御サーバＤＳＶへ送られる。配信制御サーバＤＳＶは、上記移動端末ＭＳ１の位置情報及びプロファイル情報を受け取ると、先ずステップ６ａにおいて、移動端末ＭＳ１に対しコンテンツ表示に対する注意を喚起するためのメッセージを送信する。
【０１０４】
またそれと同時に配信制御サーバＤＳＶは、固定系ＩＭＳ網ＮＷ２のＳＩＰアプリケーション・サーバ２５に対しコンテンツ配信要求を送る。この結果、ＳＩＰアプリケーション・サーバ２５の制御の下で、上記コンテンツ配信要求に含まれる移動端末ＭＳ１の位置情報もとに当該移動端末ＭＳ１が存在する管理エリアの固定端末ＦＳ１が選択され、この選択された固定端末ＦＳ１と配信制御サーバＤＳＶとの間にセッションが確立される。そして、配信制御サーバＤＳＶは上記移動端末ＭＳ１のプロファイル情報に対応するコンテンツを選択し、このコンテンツを上記セッションを介して固定端末ＦＳ１へ転送し表示させる。
【０１０５】
この状態で、上記固定端末ＦＳ１に表示されたコンテンツを視認した移動端末ＭＳ１のユーザが、移動端末ＭＳ１においてコンテンツの更新要求を入力したとする。そうするとステップ６ｂにより、上記更新要求が上記メッセージに対する応答として移動系ＩＭＳ網ＮＷ１を介して配信制御サーバＤＳＶへ送られる。配信制御サーバＤＳＶは、上記更新要求を受信すると、ステップ６ｃにおいて受信した更新要求の内容に応じて配信対象のコンテンツの内容を変更し、この変更されたコンテンツを上記固定端末ＦＳ１との間に既に確立されているセッションを介して固定端末ＦＳ１へ転送する。
【０１０６】
したがって、第２の実施形態によれば、移動端末ＭＳ１のユーザは自身の操作に応じて、固定端末ＦＳ１に表示中のコンテンツの内容を変更することが可能となる。例えば、提示中のコンテンツの続編又は続き頁を提示させたり、提示中のコンテンツと関連する別のコンテンツを提示させることが可能となる。
【０１０７】
（第３の実施形態）
この発明の第３の実施形態は、移動端末又は固定端末において配信制御サーバから配信されたコンテンツが表示されている状態で、移動端末においてコンテンツ配信先切替操作が行われた場合に、上記コンテンツの配信先となる端末を、移動端末から固定端末へ、或いは固定端末から移動端末へ切り替えるようにしたものである。
【０１０８】
図１１は、この発明の第３の実施形態に係わるコンテンツ配信システムの概略構成図である。なお、同図において前記図１と同一部分には同一符号を付して詳しい説明は省略する。
移動端末ＭＳ１〜ＭＳｎは、移動系ＩＭＳ網ＮＷ１との間で無線通信を行う機能に加えて、無線LAN（Local Area Network）のアクセスポイント、フェムトセル基地局、ＧＰＳ（Global Positioning System）衛星との間で通信を行う機能も備えている。そして、これらのアクセスポイント、フェムトセル基地局及びＧＰＳ衛星から送信される信号をもとに自端末の位置（緯度経度）を計算する。すなわち、複数の位置測位媒体を利用して自端末の位置を測定する機能を備えている。このため、従来以上に高精度の位置測定を行うことが可能である。上記測定された位置情報は、移動系ＩＭＳ網ＮＷ１の位置情報サーバ１７にアップロードされて管理される。
【０１０９】
また移動端末ＭＳ１〜ＭＳｎは、加速度センサ及びジャイロセンサ等の各種センサを備えている。そして、これらのセンサの検出データをもとに、さらに多種多様なユーザコンテキスト情報の生成や、より直観的な端末操作が可能となっている。
【０１１０】
ところで、配信制御サーバＤＳＶはその制御機能として以下の機能をさらに備える。  
すなわち、移動端末ＭＳ１〜ＭＳｎ又は固定端末ＦＳ１〜ＦＳＭに対し、コンテンツ配信事業者サーバＡＰ１，ＡＰ２から送信されたコンテンツを配信して表示させている状態で、移動端末ＭＳ１〜ＭＳｎからコンテンツの配信先切替要求を受信した場合に、移動系ＩＭＳ網ＮＷ１及び固定系ＩＭＳ網ＮＷ２が管理している移動端末の位置情報や固定端末のアドレス情報等をもとにセッションを確立し直し、このセッションを介して上記配信中のコンテンツの配信先を移動端末ＭＳ１〜ＭＳｎから固定端末ＦＳ１〜ＦＳＭへ或いはその逆に切り替える処理。
【０１１１】
次に、以上のように構成されたシステムにおけるコンテンツ表示切替動作を、２つの実施例を用いて説明する。  
（実施例１）
実施例１は、コンテンツを移動端末ＭＳ１に配信し表示している状態で、ユーザがコンテンツの配信先を固定端末ＦＳ１に切り替えるべく移動端末ＭＳ１において配信先切替操作を行った場合に、配信制御サーバＤＳＶが上記配信中のコンテンツの配信先を移動端末ＭＳ１から固定端末ＦＳ１へ切り替えるものである。
【０１１２】
図１２はその切替動作の概要を説明するための図、図１４はシステム内における各部間の制御シーケンスの概要を示す図、図１５及び図１６は当該制御シーケンスの詳細を示す図である。  
移動端末ＭＳ１において、コンテンツの表示中にユーザが当該移動端末ＭＳ１においてコンテンツ配信先の切替操作を行ったとする。この配信先の切替操作には、例えば移動端末ＭＳ１の特定のボタン操作や、移動端末ＭＳ１を振る操作が用いられる。上記配信先切替操作が行われると、移動端末ＭＳ１から配信制御サーバＤＳＶに向けて、図１２の(1) に示すようにコンテンツ配信先の切替要求が送信される。このとき、当該切替要求には、配信中のコンテンツＩＤ、上記切替操作時点でのコンテンツ再生位置を示す情報及び移動端末ＩＤが含まれる。
【０１１３】
配信制御サーバＤＳＶは、上記コンテンツ配信先の切替要求を受信すると、先ずこの受信した切替要求に含まれる移動端末ＩＤをもとに、図１２の(2) に示すように移動端末ＭＳ１の位置情報を位置情報サーバ１７に問い合わせ、位置情報サーバ１７から当該移動端末ＭＳ１の位置情報を取得する。配信制御サーバＤＳＶは、続いて上記取得された移動端末ＭＳ１の位置情報をもとに、図１２の(3) に示すように配信先となる固定端末ＦＳ１を特定するために固定系ＩＭＳ網ＮＷ２内の位置情報サーバ２７に問い合わせを行い、配信先となる固定端末ＩＤを取得する。配信制御サーバＤＳＶは、次に上記取得された固定端末ＩＤをもとに、図１２の(4) に示すように固定端末ＦＳ１との間にセッションを確立する。そして、上記切替要求に含まれる配信中のコンテンツＩＤにより表されるコンテンツを、同じく切替要求に含まれるコンテンツ再生位置情報により示される位置から、上記セッションにより形成されたメディア経路ＭＲを介して、図１２の(5) に示すように固定端末ＦＳ１へ配信する。なお、このときコンテンツは移動端末向けから固定端末向けのデータ形式へ変換される。
【０１１４】
（実施例２）
実施例２は、コンテンツを固定端末ＦＳ１に配信し表示している状態で、ユーザがコンテンツの配信先を移動端末ＭＳ１に切り替えるべく移動端末ＭＳ１において配信先切替操作を行った場合に、配信制御サーバＤＳＶが上記配信中のコンテンツの配信先を固定端末ＦＳ１から移動端末ＭＳ１へ切り替えるものである。
【０１１５】
図１３はその切替動作の概要を説明するための図である。  
移動端末ＭＳ１において、ユーザがコンテンツ配信先の切替操作を行ったとする。この配信先切替操作が行われると、移動端末ＭＳ１から配信制御サーバＤＳＶに向けて、図１３の(1) に示すようにコンテンツ配信先の切替要求が送信される。このとき、当該切替要求には移動端末ＩＤが含まれる。
【０１１６】
上記切替要求を受信すると配信制御サーバＤＳＶは、図１３の(2) に示すように先ず内部メモリに保持されているセッション情報にアクセスして、上記切替要求に含まれる移動端末ＩＤと対応付けられている固定端末ＦＳ１へのコンテンツ配信セッションを検索し、配信中のコンテンツ及びコンテンツ再生位置を表す情報を取り出す。次に配信制御サーバＤＳＶは、図１３の(3) に示すように固定端末ＦＳ１とのセッションを解放し、図１３の(4) に示すようにコンテンツの転送を終了する。続いて、図１３の(5) に示すように移動端末ＦＳ１に対してコンテンツ配信セッションを確立し、図１３の(6) に示すように上記配信中のコンテンツを上記再生位置から移動端末ＭＳ１に向け転送を開始する。なお、このコンテンツの転送に際しては、コンテンツのデータ形式を固定端末向けの形式から移動端末向けの形式に変換する。
【０１１７】
図１４は上記実施例１及び実施例２におけるシステム内の制御シーケンスの概要を示す図である。  
図１４に示すように、移動端末ＭＳ１においてコンテンツが表示されている状態でも、また固定端末ＦＳ１においてコンテンツが表示されている状態でも、移動端末ＭＳ１においてコンテンツの配信表示先の切替操作を行うと、その都度配信制御サーバＤＳＶと移動端末ＭＳ１との間及び固定端末ＦＳ１との間でそれぞれ移動端末ＭＳ１の位置情報をキーとしてセッションの解放及び確立制御が実行され、コンテンツの配信先が切り替わる。またその際、切替操作時点でのコンテンツの再生位置を表す情報をもとに、コンテンツの配信開始位置は上記切替操作時点の位置となるように制御される。さらに、切替前後において、コンテンツのデータ形式が切替元に対応する形式から切替先に対応する形式に変換される。
【０１１８】
また、上記移動端末ＭＳ１から固定端末ＦＳ１へのコンテンツ配信先の切替制御を実行する際には、図１５及び図１６に示すような具体的な手順が実行される。  
すなわち、先ず図１５の(1) に示すコンテンツ配信先の切替要求手順では、移動端末ＭＳ１における切替操作に応じて、移動端末ＭＳ１から配信制御サーバＤＳＶへ、移動端末ＩＤと、再生中のコンテンツのＩＤと、上記切替操作が行われた時点でのコンテンツ再生位置を表す情報が含まれる切替要求が送信される。
【０１１９】
次に、図１５の(2) に示す移動端末の位置情報を取得するための手順では、配信制御サーバＤＳＶからの位置情報取得要求に応じて、移動系ＩＭＳ網ＮＷ１内において切替先の端末が条件に適合する端末であるかどうかが検査され、条件に適合する端末の場合に移動端末の位置情報が配信制御サーバＤＳＶへ返送される。
【０１２０】
次に、図１５の(3) に示す配信先固定端末のアドレスを取得する手順においては、配信制御サーバＤＳＶからの位置情報に応じたコンテンツ配信要求に応じて、固定系ＩＭＳ網ＮＷ２内において、上記位置情報をもとに当該位置を含む所定のエリア内に存在する端末を確認するための手順が実行され、さらに切替先の固定端末ＦＳ１の配信ポリシを確認する手順が実行される。
【０１２１】
続いて、図１５の(4) に示すコンテンツ配信セッションの確立手順では、上記配信制御サーバＤＳＶからのコンテンツ配信セッションの確立要求に応じて、固定系ＩＭＳ網ＮＷ２内において、配信か先となる固定端末ＦＳ１とＳＩＰアプリケーション・サーバ２５との間のセッション確立手順と、ＳＩＰアプリケーション・サーバ２５と配信制御サーバＤＳＶとの間のセッション確立手順が順次実行される。
【０１２２】
そして、図１６の(5) に示すコンテンツ配信手順では、配信制御サーバＤＳＶと固定端末ＦＳ１との間でコンテンツを配信するための要求及びその応答手順が実行され、さらにコンテンツ配信事業者サーバＡＰ１，ＡＰ２と配信制御サーバＤＳＶとの間でコンテンツＩＤ及び再生開始位置情報をもとに配信対象のコンテンツの選択とその配信開始位置の頭出しが行われたのち、該当するコンテンツが配信制御サーバＤＳＶから切替先の固定端末ＦＳ１へ転送される。
【０１２３】
一方、上記固定端末ＦＳ１から移動端末ＭＳ１へのコンテンツ配信先の切替制御を実行する際には、図１６に示すような具体的な手順が実行される。  
すなわち、先ず図１６の(1) に示すコンテンツ配信先の切替要求手順では、移動端末ＭＳ１における切替操作に応じて、移動端末ＭＳ１から配信制御サーバＤＳＶへ、再生中のコンテンツのＩＤと、上記切替操作が行われた時点でのコンテンツ再生位置を表す情報が含まれる切替要求が送信される。
【０１２４】
次に、図１６の(2) に示すコンテンツ配信先セッション情報の検索手順では、先ず配信制御サーバＤＳＶにおいて移動端末のＩＤで管理されているセッションの検索処理が行われる。そして、図１６の(3) (4) に示すセッション解放手順と転送停止手順では、配信制御サーバＤＳＶと固定端末ＦＳ１との間で、ＳＩＰアプリケーション・サーバ２５を介してコンテンツ配信セッションを終了する手順が実行され、コンテンツの転送が停止される。
【０１２５】
続いて、図１６の(5) に示すコンテンツ配信セッション確立手順では、配信制御サーバＤＳＶからのコンテンツ配信セッションの確立要求に応じて、移動系ＩＭＳ網ＮＷ１においてセッション確立要求及びその応答の送受信が行われ、これにより移動端末ＭＳ１と配信制御サーバＤＳＶとの間にコンテンツ配信セッションが確立される。
【０１２６】
そして、図１６の(6) に示すコンテンツ転送手順において、配信制御サーバＤＳＶから移動端末ＭＳ１へコンテンツが転送される。このとき、コンテンツの転送処理は、上記コンテンツ再生開始位置情報をもとに固定端末ＦＳ１で配信が停止された位置から再開される。
【０１２７】
（第４の実施形態）
この発明の第４の実施形態は、固定端末に表示中のコンテンツをユーザが視聴している状態で、当該ユーザが移動端末において特定の操作を行った場合に、固定端末へ配信するコンテンツの再生位置や再生速度を変更するようにしたものである。
【０１２８】
図１７は、この発明の第４の実施形態におけるコンテンツ配信システムの動作の概要を示す図である。  
コンテンツの表示中に移動端末ＭＳ１において、ユーザがコンテンツの再生位置や再生速度を変更するために、その変更項目に対応して予め定められたボタン操作を行うか、或いは端末を振るなどの特定の操作を行ったとする。そうすると移動端末ＭＳ１は、再生中のコンテンツのＩＤと、現時点でのコンテンツ再生位置を表す情報と、移動端末ＩＤを含むコンテンツ再生制御情報を生成し、この生成したコンテンツ再生制御情報を図１７の(1) のように配信制御サーバＤＳＶへ送信する。
【０１２９】
配信制御サーバＤＳＶは、上記コンテンツ再生制御情報を受信すると、図１７の(2) のように、当該コンテンツ再生制御情報に含まれる移動端末ＩＤをもとに自サーバ内のメモリからコンテンツ配信セッションを検索する。そして、該当するセッションが発見されると、固定系ＩＭＳ網ＮＷ２が図１７の(3) のように配信制御サーバＤＳＶと固定端末ＦＳ１との間のコンテンツ配信セッションを更新する。また配信制御サーバＤＳＶは、図１７の(4) のようにメディア転送の制御を変更して、固定端末ＦＳ１におけるコンテンツの再生を制御する。
【０１３０】
図１８は、上記コンテンツ再生制御を実行する際の、固定系ＩＭＳ網ＮＷ２におけるデータ伝送手順を示すシーケンス図である。  
配信制御サーバＤＳＶと配信先の固定端末ＦＳ１との間にセッションが確立されると、コンテンツ配信事業者サーバＡＰ１，ＡＰ２から固定端末ＦＳ１へコンテンツが配信される。この状態で、配信制御サーバＤＳＶではコンテンツの再生状況が監視される。
【０１３１】
さて、この状態で移動端末ＭＳ１においてユーザが、例えばコンテンツの早送り、一時停止、巻き戻し、再生箇所の変更等のコンテンツの再生状況を制御するための操作を行ったとする。そうすると移動端末ＭＳ１は、移動端末ＩＤと、再生中のコンテンツのＩＤと、上記再生状況の制御内容を表す情報を含むコンテンツ再生制御要求を生成し、この生成されたコンテンツ再生制御要求を配信制御サーバＤＳＶへ送信する。
【０１３２】
配信制御サーバＤＳＶは、上記コンテンツ再生制御要求を受信すると、この受信されたコンテンツ再生制御要求に含まれる移動端末ＩＤをもとにサーバ内のメモリに対しアクセスし、当該移動端末ＩＤに関連付けて管理されているコンテンツ配信セッションを検索する。そして、この検索されたコンテンツ配信セッションを更新するための再生制御情報を生成して、固定系ＩＭＳ網ＮＷ２に送る。固定系ＩＭＳ網ＮＷ２は、上記再制御情報に基づいて、配信制御サーバＤＳＶと固定端末ＦＳ１との間のセッションを更新する。  
かくして、コンテンツ配信事業者サーバＡＰ１，ＡＰ２から固定端末ＦＳ１へ転送されるコンテンツに対し、早送り、一時停止、巻き戻し、再生箇所の変更等が行われる。
【０１３３】
（第５の実施形態）
図１９は、この発明の第５の実施形態に係わるコンテンツ配信システムの全体構成を示す図である。なお、同図において前記図１と同一部分には同一符号を付して詳しい説明は省略する。  
この第５の実施形態に係わるシステムでは、コンテンツを格納するコンテンツサーバＣＳ１，ＣＳ２とコンテンツ配信事業者サーバＡＰ１，ＡＰ２とが独立して設けられている。コンテンツサーバＣＳ１，ＣＳ２はそれぞれが異なるコンテンツホルダにより管理・運用される。また、コンテンツ配信事業者サーバＡＰ１，ＡＰ２もそれぞれが異なる事業者により管理・運用される。
【０１３４】
コンテンツ配信事業者サーバＡＰ１，ＡＰ２にはそれぞれＡＰＩ（Application Programming Interface）が配備されている。コンテンツ配信事業者サーバＡＰ１，ＡＰ２は、このＡＩＰを用いることにより、インターネット等の通信ネットワークＮＷ３を介して上記各コンテンツサーバＣＳ１，ＣＳ２のすべてと通信を行うことが可能となっている。
【０１３５】
配信制御サーバＤＳＶは、ＩＤ連携部７１と、ユーザポリシデータベース（ユーザポリシＤＢ）７２と、コンテンツフィルタ部７３と、通信インタフェース７４とを備え、さらにＡＰＩ７５を備えている。配信制御サーバＤＳＶは、このＡＰＩ７５を用いることにより、上記コンテンツ配信事業者サーバＡＰ１，ＡＰ２のすべてと通信を行うことが可能となっている。
【０１３６】
ＩＤ連携部７１は、移動系ＩＭＳの移動端末と固定系ＩＭＳの固定端末との間の連携を行うもので、以下の処理機能を有している。  
(1) 移動系ＩＭＳＮＷ１の位置情報サーバ１７から、当該位置情報サーバ１７において管理されている移動端末ＭＳ１〜ＭＳｎの位置情報とその端末ＩＤを、通信インタフェース７４を介して受信する処理。
【０１３７】
(2) 上記受信された移動端末ＭＳ１〜ＭＳｎの位置情報を、固定系ＩＭＳＮＷ２の位置情報サーバ２７に記憶されている固定端末ＦＳ１〜ＦＳｍの配置位置情報と照合する。そして、移動端末ＭＳ１〜ＭＳｎの現在位置に対し予め設定された距離の範囲内に配置されている固定端末を選択し、この選択された固定端末の端末ＩＤと上記移動端末の端末ＩＤとを関連付けた情報を生成する処理。
【０１３８】
(3) 上記(2) により端末ＩＤが固定端末と関連付けされた移動端末の更新後の位置情報を上記位置情報サーバ１７から受信する。そして、この受信された更新後の位置情報が、当該移動端末と関連付けられた固定端末に対し上記距離以上離間した場合に、当該移動端末が固定端末の設置位置から立ち去ったと判断して、上記関連付け情報及び後述するコンテンツ配信ポリシを解消する処理。
【０１３９】
コンテンツフィルタ部７３は、スクリーニング部７３１と、レーティング部７３２を備えている。  
レーティング部７３２は以下の処理機能を備える。  
(1) ＩＤ連携部７１から端末ＩＤの関連付け情報を受け取り、この関連付け情報に基づいて、該当する移動端末のユーザプロファイル情報と、該当する固定端末の設置場所に関する情報をもとに、当該固定端末に対するコンテンツ配信ポリシを設定する処理。この設定されたコンテンツ配信ポリシは配信ポリシ記憶部７２に記憶される。なお、上記移動端末のユーザプロファイル情報は、移動系ＩＭＳＮＷ１のユーザプロファイルＤＢ１６から取得する。また、固定端末の設置場所に関する情報は、固定系ＩＭＳＮＷ２のユーザプロファイルＤＢ２６から取得する。
【０１４０】
(2) 上記取得されたユーザプロファイル情報及び上記設定された配信ポリシに基づいて、上記該当する固定端末に配信すべきコンテンツを選択する。そして、当該コンテンツにアクセスするためのＵＲＬを、固定系ＩＭＳＮＷ２によるSIPを用いたPush配信機能を利用して、当該固定端末へ送信する処理。
【０１４１】
スクリーニング部７３１は、以下の処理機能を有する。  
(1) 上記コンテンツのアクセス先ＵＲＬの通知に応答して固定端末からコンテンツに対するアクセス要求が送信されたとき、このアクセス要求に対し制限する必要があるか否かを上記コンテンツ配信ポリシに基づいて判定する処理。  
(2) 上記判定の結果、制限する必要がないと判定された場合に、上記アクセス要求をＡＰＩ７５を用いてコンテンツ配信事業者サーバＡＰ１，ＡＰ２へ転送する処理。  
なお、以上述べたスクリーニング部７３１の処理機能は、図２に示した機能ブロック図においてはメディア配信制御部５４が備える。
【０１４２】
図２０は、配信制御サーバＤＳＶ及び移動系のＳＩＰアプリケーション・サーバ（SIP AS）１５が備える各機能のうち、移動端末ＭＳ１〜ＭＳｎとの間でコンテンツ及び端末操作情報を伝送するための系統の構成を示すブロック図である。なお、固定端末ＦＳ１〜ＦＳｍとの間の伝送系統については、図２において既に説明したので説明は省略する。
【０１４３】
配信制御サーバＤＳＶは、コンテンツ配信順序管理部５６と、コンテンツ配信要求送信部５７と、コンテンツ配信要求応答受信部５８と、セッション制御機能部５９と、移動端末コンテンツ配信部６０と、端末操作情報受信部６１を備えている。  
このうちコンテンツ配信要求送信部５７及びコンテンツ配信要求応答受信部は、移動系のＳＩＰアプリケーション・サーバ１５との間でコンテンツ配信要求及びその応答の送受信を行う。セッション制御機能部５９は、移動系のＳＩＰアプリケーション・サーバ１５に対しセッションの確立及び解放を指示する。
【０１４４】
移動端末コンテンツ配信部６０は、コンテンツサーバＣ１，Ｃ２から送信されたコンテンツデータを移動端末ＭＳ１〜ＭＳｎへ転送する。  
端末操作情報受信部６１は、移動端末ＭＳ１〜ＭＳｎにおいてユーザが、表示中のコンテンツの変更要求や、コンテンツの配信先の切り替え要求、固定端末に表示されているコンテンツの更新要求等のための操作を行った場合に、その端末操作情報を受信してコンテンツ配信順序管理部５６に通知する。  
コンテンツ配信順序管理部５６は、上記端末操作情報を受信すると、その操作内容に応じて移動系のコンテンツ配信要求送信部５７及び固定系のコンテンツ配信要求送信部５１（図２に図示）に対し新たなコンテンツの配信要求を与える。
【０１４５】
移動系のＳＩＰアプリケーション・サーバ１５は、コンテンツ配信要求受信部１６０と、コンテンツ配信要求応答送信部１６１と、セッション確立機能部１６２と、コンテンツ配信セッション確立処理部１６３を備えている。  
このうちコンテンツ配信要求受信部１６０及びコンテンツ配信要求応答送信部１６１は、上記配信制御サーバＤＳＶのコンテンツ配信要求送信部５７及びコンテンツ配信要求応答受信部との間で、コンテンツ配信要求の受信及びその応答の送信を行う。セッション確立機能部１６２は、上記配信制御サーバＤＳＶのセッション制御機能部５９の指示に従い、移動系ＩＭＳ内におけるセッション確立／解放処理を行う。コンテンツ配信セッション確立処理部１６３は、移動端末ＭＳ１〜ＭＳｎとの間でセッションの確立又は解放処理を行う。
【０１４６】
次に、以上のように構成されたシステムによるコンテンツ配信動作を説明する。図２１はその動作を示す図である。  
ユーザは移動端末ＭＳ１〜ＭＳｎを持って移動しており、この移動端末ＭＳ１〜ＭＳｎの位置は当該端末が備えるＧＰＳ位置計測機能やフェムトセルのセルＩＤを用いて検出される。そして、この端末位置情報は、図２１中の(1) に示すように位置情報サーバ１７へ送信され記憶される。移動系ＩＭＳＮＷ１のSIP AS１５は、位置情報サーバ１７に記憶されたコンテンツ配信対象ユーザの移動端末（例えばＭＳ１）の位置情報を、定期的又位置が一定量以上変化するごとに、端末ＩＤと共に図２１中の(2) に示すように配信制御サーバＤＳＶへ送信する。
【０１４７】
配信制御サーバＤＳＶでは、上記移動端末ＭＳ１の位置情報とその端末ＩＤが受信されると、ＩＤ連携部７１がこの受信された移動端末ＭＳ１の位置情報を、固定系ＩＭＳＮＷ２の位置情報サーバ２７から図２１中の(3) のように取得した固定端末ＦＳ１〜ＦＳｍの配置位置情報と照合する。そして、移動端末ＭＳ１の現在位置に対し予め設定された距離の範囲内に配置されている固定端末（例えばＦＳ１）を選択し、この選択された固定端末ＦＳ１の端末ＩＤと上記移動端末ＭＳ１の端末ＩＤとを関連付けた情報を生成する。そして、この生成した端末ＩＤの関連付け情報を、図２１中の(4) に示すようにコンテンツフィルタ部７３に通知する。
【０１４８】
コンテンツフィルタ部７３は、上記通知された移動端末ＭＳ１の端末ＩＤをもとに、移動系ＩＭＳＮＷ１のユーザプロファイルＤＢ１６から当該移動端末ユーザのプロファイル情報を取得する。ユーザプロファイル情報には、ユーザの年齢、職業、性別、住所等が含まれる。また、それと共に固定系ＩＭＳＮＷ２のユーザプロファイルＤＢ２６から、固定端末ＦＳ１の設置場所に関する情報を取得する。この固定端末ＦＳ１の設置場所に関する情報には、固定端末ＦＳ１が、例えば屋外に設置され不特定多数のユーザに同時に広告等を提示する共用タイプの端末であるか、或いは屋内に設置されて同時に一人のユーザに対し情報を提示する個人タイプの端末であるかを示す情報が含まれる。
【０１４９】
コンテンツフィルタ部７３は、上記取得したユーザプロファイル情報及び固定端末ＦＳ１の設置場所に関する情報をもとに、当該固定端末ＦＳ１に対するコンテンツ配信ポリシを設定する。そして、この設定されたコンテンツ配信ポリシを表す情報を、図２１の(5) に示すように配信ポリシ記憶部７２に記憶させる。
【０１５０】
例えば、いま固定端末ＦＳ１が共用タイプの端末、固定端末ＦＳ２が個人タイプの端末からなり、コンテンツサーバＣＳ１がユーザの個人情報又はそれに関連する情報を含むコンテンツを記憶し、一方コンテンツサーバＣＳ２が個人情報等を含まない共用情報からなるコンテンツを記憶しているものとすると、移動端末ＭＳ１のユーザＵ１については図２２に示すようなコンテンツ配信ポリシが設定される。
【０１５１】
なお、コンテンツ配信ポリシは、コンテンツサーバＣＳ１，ＣＳ２単位で設定する以外に、コンテンツのジャンル単位又は個々のコンテンツ単位で設定するようにしてもよい。コンテンツサーバＣＳ１，ＣＳ２単位で設定する場合にはサーバのアドレス情報により識別し、またコンテンツ単位で設定する場合にはコンテンツＵＲＬを用いることで識別可能である。
【０１５２】
次にコンテンツフィルタ部７３は、レーティング部７３２により、上記取得された移動端末ＭＳ１のユーザのプロファイル情報及び上記設定された配信ポリシに基づいて、上記該当する固定端末ＦＳ１に配信すべきコンテンツを選択する。そして、当該コンテンツにアクセスするためのＵＲＬを、固定系ＩＭＳＮＷ２によるSIPを用いたPush配信機能を利用して、図２１中の(6) に示すように固定端末ＦＳ１へ送信する。
【０１５３】
固定端末ＦＳ１は、自端末がコンテンツを表示可能な状態にあるときに上記コンテンツＵＲＬを受信すると、この受信したＵＲＬに従いコンテンツに対するアクセス要求を送信する。このアクセス要求は、図２１中の(6)′に示すように配信制御サーバＤＳＶのコンテンツフィルタ部７３に転送される。上記アクセス要求を受信するとコンテンツフィルタ部７３は、スクリーニング部７３１により、アクセス要求先が制限対象であるか否かを上記配信先ポリシ記憶部７２に記憶されたコンテンツ配信ポリシを参照して判定する。この判定の結果、上記アクセス先が制限対象でなければ当該アクセス要求をそのまま中継転送する。
【０１５４】
例えば、いま固定端末ＦＳ１から送信されたアクセス要求のアクセス先がコンテンツサーバＣＳ２であれば、図２２に示すコンテンツ配信ポリシに従い当該アクセス要求はそのままコンテンツ事業者サーバ（例えばＡＰ２）へ中継転送される。この結果、コンテンツ配信事業者サーバＡＰ２の制御の下で、コンテンツサーバＣＳ２のコンテンツデータが、図２１の(7) に示すように固定系ＩＭＳＮＷ２上に設定されたメディア経路ＭＲを経由して固定端末ＦＳ１へ転送され、表示される。
【０１５５】
したがって、移動端末ＭＳ１のユーザＵ１は、例えば街頭に設置された固定端末ＦＳ１において自身宛に配信された広告等のコンテンツを視認することができる。また、この状態でユーザＵ１が自身の移動端末ＭＳ１を操作すると、その端末操作情報が図２０に示したように配信制御サーバＤＳＶに送られる。配信制御サーバＤＳＶは、上記端末操作情報を受信すると、移動端末ＭＳ１の端末ＩＤと固定端末ＦＳ１の端末ＩＤとの関連付けを表す情報をもとに制御先の固定端末ＦＳ１を判断し、上記操作内容に応じて表示中のコンテンツを更新させるための制御を実行する。この結果、上記固定端末ＦＳ１には、表示中のコンテンツの次ページや詳細情報が記載されたページが表示される。
【０１５６】
これに対し、上記コンテンツ配信ポリシに基づく判定の結果、固定端末ＦＳ１から送信されたアクセス要求のアクセス先が制限対象に該当した場合には、コンテンツフィルタ部７３は当該アクセス要求を中継しないように制御する。例えば、アクセス先がコンテンツサーバＣＳ１であれば、図２２に示すコンテンツ配信ポリシに従い当該アクセス要求は転送されず棄却される。したがって、コンテンツサーバＣＳ１に記憶されたユーザの個人情報又はそれに関連する情報を含むコンテンツが、共用タイプの固定端末ＦＳ１に無制限に表示される事態は未然に回避される。
【０１５７】
以上のコンテンツ配信動作の実行中において、配信制御サーバＤＳＶではＩＤ連携部７１が、移動系ＩＭＳＮＷ１の位置情報サーバ１７から送られる移動端末ＭＳ１の位置情報をもとに、移動端末ＭＳ１と固定端末ＦＳ１との間の距離を監視している。そしてこの状態で、移動端末ＭＳ１が上記予め設定された距離以上固定端末ＦＳ１から離れたことが検出されると、ＩＤ連携部７１は移動端末ＭＳ１のユーザＵ１が固定端末ＦＳ１から他の場所へ移動したと判断し、当該移動端末ＭＳ１の端末ＩＤと固定端末ＦＳ１の端末ＩＤとを関連付けた情報と、配信ポリシ記憶部７２に記憶されている該当するコンテンツ配信ポリシを削除する。
【０１５８】
図２３は、以上述べた第５の実施形態に係わるシステムのさらに具体的な構成を示すものである。このシステム構成は、配信制御サーバＤＳＶ及びコンテンツ配信事業者サーバＡＰ１，ＡＰ２としてWebアプリケーションサーバ（Web AS）を用いると共に、コンテンツフィルタ部７３を配信制御サーバＤＳＶから独立させ、さらにコンテンツサーバとしてWebサーバを用いたものである。上記Web ASと移動系ＩＭＳのSIP AS１５との間、及びWeb ASと固定系ＩＭＳのSIP AS２５との間は、いずれもSOAP通信を利用したＡＰＩにより接続される。
【０１５９】
図２４及び図２５は、上記図２３に示したシステムにおけるコンテンツ配信動作の手順を示したシーケンス図である。同図において、固定端末ＦＳ１の位置情報は固定系ＩＭＳＮＷ２の位置情報サーバ２７に送られて記憶され、この位置情報は固定系ＩＭＳＮＷ２のSIP AS２５により固定端末ＩＤと共にWeb ASに伝送される。この固定端末の位置情報の伝送処理は、固定端末の設置位置が更新されるごとに行われる。
【０１６０】
一方、移動端末ＭＳ１の位置情報は移動系ＩＭＳＮＷ１の位置情報サーバ１７に送られて記憶され、移動端末ＭＳ１の移動に伴い位置情報が更新されると、その更新位置情報が移動端末ＩＤと共にSIP AS１５からWeb ASへ送られる。Web ASは、上記受信した移動端末ＭＳ１の更新位置情報と固定端末の設置位置情報をもとに、移動端末ＭＳ１の現在位置に対し一定の距離の範囲内に設置されている固定端末ＦＳ１を選択し、この選択した固定端末ＦＳ１の端末ＩＤを移動端末ＭＳ１の端末ＩＤと関連付ける。上記端末ＩＤの関連付け処理が終了すると、Web ASはこの関連付けられた固定端末ＩＤと移動端末ＩＤとの組を含むコンテンツ配信ポリシ設定要求をコンテンツフィルタ部７３に送る。
【０１６１】
コンテンツフィルタ部７３は、上記コンテンツ配信ポリシ設定要求を受信すると、移動系ＩＭＳＮＷ１のユーザプロファイルサーバ１６から取得したユーザプロファイル情報と、固定端末の設置場所に関する情報をもとに、当該固定端末ＦＳ１に対するコンテンツ配信ポリシを設定する。そして、レーティング処理により、ユーザプロファイル情報をもとに移動端末ＭＳ１のユーザに配信すべきコンテンツを選択し、そのＵＲＬをWeb ASに対し応答する。
【０１６２】
Web ASは、上記コンテンツＵＲＬをもとに、コンテンツ配信要求をSOAPを用いて移動系ＩＭＳのSIP AS１５に通知する。SIP AS１５は、上記コンテンツ配信要求をSIPを用いて移動端末ＭＳ１に通知する。このコンテンツ配信要求に対し、移動端末ＭＳ１においてユーザがコンテンツの配信を要求する操作を行うと、コンテンツ要求が移動端末ＭＳ１からコンテンツサーバＣＳ１に送られる。この結果、コンテンツサーバＣＳ１から該当するコンテンツデータが要求元の移動端末ＭＳ１へ転送され、表示される。
【０１６３】
また、上記した移動端末ＭＳ１に対するコンテンツのPush配信処理と並行して、Web ASは固定系ＩＭＳＮＷ２のSIP AS２５に対しコンテンツ配信要求をSOAPを用いて送信する。SIP AS２５は、上記コンテンツ配信要求をSIPを用いて固定端末ＦＳ１に通知する。このコンテンツ配信要求に対し、固定端末ＦＳ１がコンテンツ要求を送信すると、この要求はコンテンツフィルタ部７３で一旦受信される。
【０１６４】
コンテンツフィルタ部７３は、スクリーニング機能により、上記受信されたコンテンツ要求のアクセス先が制限対象であるか否かを先に設定したコンテンツ配信ポリシを参照して判定する。そして、この判定の結果、上記アクセス先が制限対象でなければ、上記コンテンツ要求をコンテンツサーバＣＳ１へ転送する。この結果、コンテンツサーバＣＳ１から固定端末ＦＳ１へコンテンツデータが配信され表示される。なお、このコンテンツデータも、コンテンツフィルタ部７３のスクリーニング処理を受けた後転送される。
【０１６５】
以後同様に、固定端末ＦＳ１からコンテンツ要求が送信されるごとに、コンテンツフィルタ部７３のスクリーニング機能により、上記コンテンツ要求のアクセス先が制限対象であるか否かが判定される。そして、制限対象でなければ上記コンテンツ要求がコンテンツサーバＣＳ１へ転送され、この結果コンテンツサーバＣＳ１から固定端末ＦＳ１へコンテンツデータが配信され表示される。
【０１６６】
一方、上記コンテンツの表示中に、移動端末ＭＳ１において図２５のステップ８１によりアクセス先を変更するための操作（例えばリンク選択操作）が行われたとする。そうすると、移動端末ＭＳ１からAeb ASへコンテンツ要求が送られ、この要求に応答してWeb ASから要求元の移動端末ＭＳ１へ該当するコンテンツが送信され表示される。
【０１６７】
また、それと共にWeb ASから固定系ＩＭＳＮＷ２のSIP AS２５へ、アクセス先ＵＲＬを含むコンテンツ配信要求がSOAPを用いて送られ、このコンテンツ配信要求はSIP AS２５から固定端末ＦＳ１へSIPを用いて転送される。そして、この配信要求に対し固定端末ＦＳ１がコンテンツ要求を送信すると、このコンテンツ要求はコンテンツフィルタ部７３で一旦受信される。
【０１６８】
コンテンツフィルタ部７３では、スクリーニング機能により上記受信されたコンテンツ要求のアクセス先が制限対象であるか否かが判定される。この結果、アクセス先が制限対象だったとすれば、コンテンツサーバＣＳ１から配信されたコンテンツデータはコンテンツフィルタ部７３のスクリーニング機能により転送が遮断される。したがって、コンテンツデータは固定端末ＦＳ１に転送されない。このため、ユーザの個人情報やそれに関連する情報を含むページが固定端末ＭＳ１に表示されることはない。
【０１６９】
上記コンテンツの表示中に、移動端末ＭＳ１が図２５のステップ８２において他の場所へ移動すると、位置情報サーバ１５に記憶されている該当する移動端末ＭＳ１の位置情報が更新され、この更新された位置情報が端末ＩＤと共にSIP AS１５からWeb ASに伝えられる。Web ASは、上記通知された移動端末ＭＳ１の位置情報をもとに、当該移動端末ＭＳ１が固定端末ＦＳ１から所定距離以上遠ざかったと判定すると、コンテンツフィルタ部７３に対し、当該移動端末ＭＳ１の端末ＩＤと固定端末ＦＳ１の端末ＩＤとの関連付けを解除する指示を通知する。この結果、移動端末ＭＳ１と固定端末ＦＳ１との間の端末ＩＤの関連付けの情報と、これに対応するコンテンツ配信ポリシは削除される。
【０１７０】
以上詳述したように第５の実施形態によれば、配信制御サーバＤＳＶ上にＡＰＩ７５が配備されたことにより、配信制御サーバＤＳＶはコンテンツ配信事業者サーバＡＰ１，ＡＰ２のいずれとも通信を行うことが可能となり、これにより各コンテンツ配信事業者は固定系ＩＭＳＮＷ２の複数の固定端末ＦＳ１〜ＦＳｍのうち任意の固定端末に対しコンテンツを配信することが可能となる。すなわち、各コンテンツ配信事業者はそれぞれ専用の固定端末を設置・運用する必要がなくなり、固定系ＩＭＳＮＷ２に接続される多数の公衆固定端末ＦＳ１〜ＦＳｍを共用することが可能となる。
【０１７１】
さらに、コンテンツ配信事業者サーバＡＰ１，ＡＰ２上にもＡＰＩ８１，８２を配備したので、各コンテンツ配信事業者サーバＡＰ１，ＡＰ２は複数のコンテンツサーバＣＳ１，ＣＳ２のいずれからでもコンテンツを取り出して配信することが可能となる。すなわち、コンテンツホルダとコンテンツ配信事業者とを分離することが可能となる。
【０１７２】
また、移動端末ＭＳ１〜ＭＳｎと固定端末ＦＳ１〜ＦＳｍとをその位置情報により関連付けている。このため、移動端末ＭＳ１〜ＭＳｎと固定端末ＦＳ１〜ＦＳｍとの間で連携して、コンテンツの配信先の切り替えや表示中のコンテンツのページ更新等、様々な表示処理を行うことができる。
【０１７３】
さらに、移動端末ＭＳ１〜ＭＳｎのユーザプロファイル情報と固定端末ＦＳ１〜ＦＳｍの設置状態を表す情報に基づいて、固定端末ＦＳ１〜ＦＳｍに対するコンテンツ配信ポリシを設定し、このコンテンツ配信ポリシに基づいてコンテンツ要求のアクセスを制限するようにしている。このため、例えばユーザの個人情報又はそれに関連する情報を含むコンテンツが、電光掲示板等のような不特定多数の人に情報を表示する公衆固定端末に表示されないようにすることができる。しかも、制限処理がアクセス要求に対し行われるので、配信されるコンテンツに対し制限処理を行う場合に比べ、不適切コンテンツの配信をより的確に制限することができる。
【０１７４】
さらに、移動端末ＭＳ１〜ＭＳｎのユーザが、関連付けられた固定端末ＦＳ１〜ＦＳｍの設置位置から遠ざかると、当該移動端末ＭＳ１〜ＭＳｎと固定端末ＦＳ１〜ＦＳｍとを関連付ける情報及び配信ポリシ情報が自動的に消去される。このため、固定端末ＦＳ１〜ＦＳｍの前から立ち去る際に、移動端末ユーザが当該固定端末ＦＳ１〜ＦＳｍに表示されたコンテンツの表示を終了させる操作を行う必要がない。
【０１７５】
（その他の実施形態）
なお、この発明は上記各実施形態に限定されるものではない。例えば、前記第１の実施形態の実施例２では、配信条件として配信対象地域の位置情報と、配信ターゲットとなるユーザのプロファイル情報と、配信コンテンツを指定するようにしたが、配信対象地域の位置情報のみを配信条件として指定するようにしてもよい。この場合には、配信制御サーバＤＳＶにおいて、移動系ＩＭＳ網ＮＷ１から取得したプロファイル情報に適合するコンテンツを選択して配信すればよい。
【０１７６】
また、前記第１及び第２の実施形態では、移動端末のプロファイル情報に基づくコンテンツの選択処理を配信制御サーバＤＳＶが行うようにしたが、配信制御サーバＤＳＶからコンテンツ配信事業者サーバＡＰ１，ＡＰ２に上記移動端末のプロファイル情報を渡すことによりコンテンツ配信事業者サーバＡＰ１，ＡＰ２により配信コンテンツを選択するようにしてもよい。
【０１７７】
さらに、移動系ＩＭＳ網ＮＷ１に所属する複数の移動端末ＭＳ１〜ＭＳｎが同一位置又は地域に存在している場合に、当該移動端末の集合の過去または現在のプロファイル情報を統計的に処理し、その処理結果をもとに配信制御サーバＤＳＶが配信コンテンツを決定するようにしてもよい。
【０１７８】
さらに、移動系ＩＭＳ網ＮＷ１に所属する複数の移動端末ＭＳ１〜ＭＳｎが同一位置に存在している場合に、これらの移動端末ＭＳ１〜ＭＳｎが移動系ＩＭＳ網ＮＷ１へ同一の位置情報を送信する。配信制御サーバＤＳＶは、上記位置情報をもとに当該位置又は地域に近接する固定端末に対しコンテンツを配信する。この状態で、あるユーザが移動端末ＭＳｉにより固定端末ＦＳｉに配信されたコンテンツを操作している状態で、その他のユーザが移動端末ＭＳｊを操作してコンテンツ配信サービスを利用しようとした場合を想定する。この場合配信制御サーバＤＳＶは、上記移動端末ＭＳｉのサービス利用情報を管理することで、この管理情報をもとに、固定端末ＦＳｉにおけるコンテンツ閲覧を要求する他の移動端末ＭＳｊからの要求を排他的に制御する。このようにすることで、特定のユーザが独占的にコンテンツ配信サービスを利用することが可能となる。
【０１７９】
一方、あるユーザが移動端末ＭＳｉにより固定端末ＦＳｉに配信されたコンテンツを操作している状態で、その他のユーザが移動端末ＭＳｊを操作してコンテンツ配信サービスを利用しようとした場合に、配信制御サーバＤＳＶが上記移動端末ＭＳｉによるサービス利用情報に基づいて、固定端末ＦＳｉにおけるコンテンツ閲覧を要求する他の移動端末ＭＳｊからの要求を受け付ける。そして、当該固定端末ＦＳｉへ上記配信中のコンテンツに加えて別のコンテンツを配信し、固定端末ＦＳｉに例えばマルチ画面を構成して複合的に表示させるようにしてもよい。このようにすることで、１台の固定端末を複数のユーザが同時に利用してコンテンツを閲覧することができる。すなわち、複数のユーザが協調してコンテンツ配信サービスを利用することが可能となる。
【０１８０】
その他、移動系ＩＭＳ網ＮＷ１、固定系ＩＭＳ網ＮＷ２及び配信制御サーバＤＳＶの構成、配信制御サーバＤＳＶが移動系ＩＭＳ網ＮＷ１から移動端末の位置情報及びプロファイル情報を取得する手順とその内容、固定系ＩＭＳ網ＮＷ２における配信先固定端末の選択処理及びセッション確立処理の手順とその内容等についても、この発明の要旨を逸脱しない範囲で種々変形して実施可能である。
【０１８１】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【符号の説明】
【０１８２】
ＡＰ１，ＡＰ２…コンテンツ配信事業者サーバ、ＮＷ１…移動系ＩＭＳ網、ＮＷ２…固定系ＩＭＳ網、ＭＳ１〜ＭＳｎ…移動端末、ＦＳ１〜ＦＳｍ…固定端末、ＤＳＶ…配信制御サーバ、ＭＲ…メディア経路、１１，１２，１３…移動系ＩＭＳ網のSIP 制御機能部、１４…移動系ＩＭＳ網の加入者情報データサーバ、１５…移動系ＩＭＳ網のＳＩＰアプリケーション・サーバ、１６…移動系ＩＭＳ網のユーザプロファイルデータベース、１７…移動系ＩＭＳ網の位置情報データベース、２１，２２，２３…固定系ＩＭＳ網のSIP 制御機能部、２４…固定系ＩＭＳ網の加入者情報データサーバ、２５…固定系ＩＭＳ網のＳＩＰアプリケーション・サーバ、２６…固定系ＩＭＳ網のユーザプロファイルデータベース、２７…固定系ＩＭＳ網の位置情報データベース、３１…コンテンツ配信条件入力部、３２…コンテンツ配信条件登録完了受信部、３３…コンテンツ配信要求送信部、３４…コンテンツ配信要求・応答送受信部、３５…コンテンツデータベース、３６…コンテンツ配信処理部、４０…配信条件入力受信部、４１…配信条件データ整形部、４２…配信条件登録要求送信部、４３…配信条件登録応答受信部、４４…配信条件登録完了送信部、４５…配信条件データ記憶部、４６…コンテンツ配信要求受信部、４７…位置条件該当端末確認要求部、４８…位置条件該当端末確認応答受信部、５０…配信条件適合通知受信部、５１…コンテンツ配信要求送信部、５２…コンテンツ配信要求・応答送受信部、５３…セッション制御機能部、５４…メディア配信制御部、５５…メディア配信処理部、５６…コンテンツ配信順序管理部、５７…コンテンツ配信要求送信部、５８…コンテンツ配信要求応答受信部、５９…セッション制御機能部、６０…移動端末コンテンツ配信部、６１…端末操作情報受信部、７１…ＩＤ連携部、７２…配信ポリシ記憶部、７３…コンテンツフィルタ部、７３１…スクリーニング部、７３２…レーティング部、７５，８１，８２…ＡＰＩ、７４…通信インタフェース、１５０…配信条件登録要求受信部、１５１…配信条件登録要求送信部、１５２…配信条件登録応答受信部、１５３…配信条件登録応答送信部、１５４…配信条件適合通知受信部、１５５…配信条件適合通知送信部、１５６…位置条件該当端末確認要求受信部、１５７…位置条件該当端末確認要求送信部、１５８…位置条件該当端末検索応答受信部、１５９…位置条件該当端末確認応答送信部、１７０…配信条件登録要求受信部、１７１…登録処理部、１７２…配信条件登録応答送信部、１７３…配信条件適合イベント検知機能部、１７４…配信条件適合通知送信部、１７５…位置条件該当端末検索要求受信部、１７６…検索処理部、１７７…位置条件該当端末検索応答送信部、２５０…コンテンツ配信要求受信部、２５１…コンテンツ配信セッション確立処理部、２５２…配信先端末情報要求送信部、２５３…コンテンツ配信要求・応答送受信部、２５４…配信先端末情報応答受信部、２５５…セッション確立機能部、２７０…配信先端末情報要求受信部、２７１…配信先端末情報応答送信部。
【図１】
2011193428.tif 000003
【図２】
2011193428.tif 000004
【図３】
2011193428.tif 000005
【図４】
2011193428.tif 000006
【図５】
2011193428.tif 000007
【図６】
2011193428.tif 000008
【図７】
2011193428.tif 000009
【図８】
2011193428.tif 000010
【図９】
2011193428.tif 000011
【図１０】
2011193428.tif 000012
【図１１】
2011193428.tif 000013
【図１２】
2011193428.tif 000014
【図１３】
2011193428.tif 000015
【図１４】
2011193428.tif 000016
【図１５】
2011193428.tif 000017
【図１６】
2011193428.tif 000018
【図１７】
2011193428.tif 000019
【図１８】
2011193428.tif 000020
【図１９】
2011193428.tif 000021
【図２０】
2011193428.tif 000022
【図２１】
2011193428.tif 000023
【図２２】
2011193428.tif 000024
【図２３】
2011193428.tif 000025
【図２４】
2011193428.tif 000026
【図２５】
2011193428.tif 000027